(57)【要約】      （修正有）【課題】アドホックな小カバレージ基地局を備えるワイヤレスネットワークにおける、効率的なチャネル割当てを提供する。【解決手段】制限されたアクセスノードを指定された共通のチャネルに割り当て、マクロアクセスノードとアクティブに通信しているアクセス端末を指定されたチャネルに選択的に割り当てる。アクセス端末が、制限されたアクセスノードのカバレージエリアの近傍にあるとき、マクロアクセスノードに関連付けられたアクセス端末は、異なる搬送波へのハンドオフを実行する。マクロアクセスノードに関連付けられたアクセス端末は、位置情報に基づいて異なる搬送波へのハンドオフを実行する。制限されたアクセスノードへのアクセスは、ポリシーに基づいて、および／または制限されたアクセスノードに関連付けられたアクセス端末の動作に基づいて制御される。【選択図】図４
2015165675.tif 000002
【特許請求の範囲】
【請求項１】
ワイヤレス通信の方法であって、
アクセス端末がアクティブであるかアイドル状態であるかを判定することと；
前記判定に基づいて、前記アクセス端末を、制限されたアクセスノード用に指定された第１の搬送波に、または第２の搬送波に割り当てることと；
前記アクセス端末を、前記割り当てられた搬送波を使用するように構成することと；
を備えた方法。
【請求項２】
前記アクセス端末がアイドル状態である場合、前記アクセス端末は前記第２の搬送波に割り当てられる、請求項１に記載の方法。
【請求項３】
前記アクセス端末がアクティブである場合、前記アクセス端末は前記第１の搬送波に割り当てられる、請求項１に記載の方法。
【請求項４】
前記搬送波の前記割当ては、前記アクセス端末のモビリティにさらに基づく、請求項１に記載の方法。
【請求項５】
前記アクセス端末が前記制限されたアクセスノードの少なくとも一部から受信した信号に関する前記アクセス端末から受信した情報に基づいて、前記モビリティを決定することをさらに備える、請求項４に記載の方法。
【請求項６】
前記アクセス端末のモビリティがしきいモビリティ以下である場合、前記アクセス端末は前記第１の搬送波に割り当てられる、請求項１に記載の方法。
【請求項７】
前記アクセス端末のモビリティがしきいモビリティ以上である場合、前記アクセス端末は前記第２の搬送波に割り当てられる、請求項１に記載の方法。
【請求項８】
前記制限されたアクセスノードは、少なくとも１つのノードにシグナリング、データアクセス、登録、ページング、およびサービスからなる群のうちの少なくとも１つを提供しないように制限される、請求項１に記載の方法。
【請求項９】
前記制限されたアクセスノードはフェムトノードおよび／またはピコノードを備える、請求項１に記載の方法。
【請求項１０】
ワイヤレス通信のための装置であって、
アクセス端末がアクティブであるかアイドル状態であるかを判定するように構成されたモード判定器と；
前記判定に基づいて、前記アクセス端末を、制限されたアクセスノード用に指定された第１の搬送波に、または第２の搬送波に割り当てるように構成され、さらに、前記アクセス端末を前記割り当てられた搬送波を使用するように構成するように構成された搬送波選択器と；
を備えた装置。
【請求項１１】
前記アクセス端末がアイドル状態である場合、前記アクセス端末は前記第２の搬送波に割り当てられる、請求項１０に記載の装置。
【請求項１２】
前記アクセス端末がアクティブである場合、前記アクセス端末は前記第１の搬送波に割り当てられる、請求項１０に記載の装置。
【請求項１３】
前記搬送波の前記割当ては、前記アクセス端末のモビリティにさらに基づく、請求項１０に記載の装置。
【請求項１４】
前記制限されたアクセスノードは、少なくとも１つのノードにシグナリング、データアクセス、登録、ページング、およびサービスからなる群のうちの少なくとも１つを提供しないように制限される、請求項１０に記載の装置。
【請求項１５】
ワイヤレス通信のための装置であって、
アクセス端末がアクティブであるかアイドル状態であるかを判定するための手段と；
前記判定に基づいて、前記アクセス端末を、制限されたアクセスノード用に指定された第１の搬送波に、または第２の搬送波に割り当てるための手段と；
前記アクセス端末を、前記割り当てられた搬送波を使用するように構成するための手段と；
を備えた装置。
【請求項１６】
前記アクセス端末がアイドル状態である場合、前記アクセス端末は前記第２の搬送波に割り当てられる、請求項１５に記載の装置。
【請求項１７】
前記アクセス端末がアクティブである場合、前記アクセス端末は前記第１の搬送波に割り当てられる、請求項１５に記載の装置。
【請求項１８】
前記搬送波の前記割当ては、前記アクセス端末のモビリティにさらに基づく、請求項１５に記載の装置。
【請求項１９】
前記制限されたアクセスノードは、少なくとも１つのノードにシグナリング、データアクセス、登録、ページング、およびサービスからなる群のうちの少なくとも１つを提供しないように制限される、請求項１５に記載の装置。
【請求項２０】
コンピュータ可読媒体を備えるコンピュータプログラム製品であって、前記コンピュータ可読媒体は、
アクセス端末がアクティブであるかアイドル状態であるかを判定することと；
前記判定に基づいて、前記アクセス端末を、制限されたアクセスノード用に指定された第１の搬送波に、または第２の搬送波に割り当てることと；
前記アクセス端末を、前記割り当てられた搬送波を使用するように構成することと；
をコンピュータに実行させるためのコードを備える、コンピュータプログラム製品。
【請求項２１】
前記アクセス端末がアイドル状態である場合、前記アクセス端末は前記第２の搬送波に割り当てられる、請求項２０に記載のコンピュータプログラム製品。
【請求項２２】
前記アクセス端末がアクティブである場合、前記アクセス端末は前記第１の搬送波に割り当てられる、請求項２０に記載のコンピュータプログラム製品。
【請求項２３】
前記搬送波の前記割当ては、前記アクセス端末のモビリティにさらに基づく、請求項２０に記載のコンピュータプログラム製品。
【請求項２４】
前記制限されたアクセスノードは、少なくとも１つのノードにシグナリング、データアクセス、登録、ページング、およびサービスからなる群のうちの少なくとも１つを提供しないように制限される、請求項２０に記載のコンピュータプログラム製品。
【請求項２５】
ワイヤレス通信の方法であって、
第１の搬送波上で第１のアクセスノードから第１の組の信号を受信することと；
前記第１の搬送波上で第２のアクセスノードから第２の組の信号を受信することと；
前記第２の組の信号に基づいて、第２の搬送波上で前記第１のアクセスノードから信号を受信するために搬送波切替えを実行すべきかどうかを判断することと；
を備えた方法。
【請求項２６】
前記判断することは、前記第１の組の信号にさらに基づく、請求項２５に記載の方法。
【請求項２７】
前記第１の組の信号が、前記第１のアクセスノードに関連する搬送波対干渉波比がしきい値以下であることを示す、請求項２６に記載の方法。
【請求項２８】
前記判断することは、前記第２の組の信号に基づいて、前記第２のアクセスノードが前記切替えを実行するアクセス端末にとって好ましいアクセスノードであることを判断することをさらに備える、請求項２５に記載の方法。
【請求項２９】
前記搬送波切替えを実行するアクセス端末が前記第１のアクセスノードとアクティブに通信している場合、前記搬送波切替えは、アクティブなハンドオフを備える、請求項２５に記載の方法。
【請求項３０】
前記搬送波切替えを実行するアクセス端末が前記第１のアクセスノード上でアイドリング状態である場合、前記搬送波切替えは、前記第２の搬送波上で前記信号をスキャンすることを備える、請求項２５に記載の方法。
【請求項３１】
前記第２のアクセスノードは、少なくとも１つのノードにシグナリング、データアクセス、登録、ページング、およびサービスからなる群のうちの少なくとも１つを提供しないように制限される、請求項２５に記載の方法。
【請求項３２】
前記第２のアクセスノードは、フェムトノードまたはピコノードを備える、請求項２５に記載の方法。
【請求項３３】
ワイヤレス通信のための装置であって、
第１の搬送波上で第１のアクセスノードから第１の組の信号を受信するように構成され、前記第１の搬送波上で第２のアクセスノードから第２の組の信号を受信するようにさらに構成された受信機と；
前記第２の組の信号に基づいて、第２の搬送波上で前記第１のアクセスノードから信号を受信するために搬送波切替えを実行すべきかどうかを判断するように構成された搬送波選択器と；
を備えた装置。
【請求項３４】
前記判断することは、前記第１の組の信号にさらに基づく、請求項３３に記載の装置。
【請求項３５】
前記第１の組の信号は、前記第１のアクセスノードに関連する搬送波対干渉波比がしきい値以下であることを示す、請求項３４に記載の装置。
【請求項３６】
前記判断することは、前記第２の組の信号に基づいて、前記第２のアクセスノードが前記切替えを実行するアクセス端末にとって好ましいアクセスノードであることを判断することをさらに備える、請求項３３に記載の装置。
【請求項３７】
前記第２のアクセスノードは、少なくとも１つのノードにシグナリング、データアクセス、登録、ページング、およびサービスからなる群のうちの少なくとも１つを提供しないように制限される、請求項３３に記載の装置。
【請求項３８】
ワイヤレス通信のための装置であって、
第１の搬送波上で第１のアクセスノードから第１の組の信号を受信し、前記第１の搬送波上で第２のアクセスノードから第２の組の信号を受信するための手段と；
前記第２の組の信号に基づいて、第２の搬送波上で前記第１のアクセスノードから信号を受信するために搬送波切替えを実行すべきかどうかを判断するための手段と；
を備えた装置。
【請求項３９】
前記判断することは、前記第１の組の信号にさらに基づく、請求項３８に記載の装置。
【請求項４０】
前記第１の組の信号は、前記第１のアクセスノードに関連する搬送波対干渉波比がしきい値以下であることを示す、請求項３９に記載の装置。
【請求項４１】
前記判断は、前記第２の組の信号に基づいて、前記第２のアクセスノードが前記切替えを実行するアクセス端末にとって好ましいアクセスノードであることを判断することをさらに備える、請求項３８に記載の装置。
【請求項４２】
前記第２のアクセスノードは、少なくとも１つのノードにシグナリング、データアクセス、登録、ページング、およびサービスからなる群のうちの少なくとも１つを提供しないように制限される、請求項３８に記載の装置。
【請求項４３】
コンピュータ可読媒体を備えるコンピュータプログラム製品であって、前記コンピュータ可読媒体は、
第１の搬送波上で第１のアクセスノードから第１の組の信号を受信することと；
前記第１の搬送波上で第２のアクセスノードから第２の組の信号を受信することと；
前記第２の組の信号に基づいて、第２の搬送波上で前記第１のアクセスノードから信号を受信するために搬送波切替えを実行すべきかどうかを判断することと；
をコンピュータに実行させるためのコードを備えた、コンピュータプログラム製品。
【請求項４４】
前記判断することは、前記第１の組の信号にさらに基づく、請求項４３に記載のコンピュータプログラム製品。
【請求項４５】
前記第１の組の信号は、前記第１のアクセスノードに関連する搬送波対干渉波比がしきい値以下であることを示す、請求項４４に記載のコンピュータプログラム製品。
【請求項４６】
前記判断することは、前記第２の組の信号に基づいて、前記第２のアクセスノードが前記切替えを実行するアクセス端末にとって好ましいアクセスノードであることを判断することをさらに備える、請求項４３に記載のコンピュータプログラム製品。
【請求項４７】
前記第２のアクセスノードは、少なくとも１つのノードにシグナリング、データアクセス、登録、ページング、およびサービスからなる群のうちの少なくとも１つを提供しないように制限される、請求項４３に記載のコンピュータプログラム製品。
【請求項４８】
ワイヤレス通信の方法であって、
第１のアクセスノードにおいて、アクセス端末が第１の搬送波上で前記第１のアクセスノードから受信した第１の組の信号に関する情報を受信することと；
前記アクセス端末が前記第１の搬送波上で第２のアクセスノードから受信した第２の組の信号に関する情報を受信することと；
前記第２の組の信号に関する前記情報に基づいて、前記アクセス端末に第２の搬送波上で前記第１のアクセスノードから信号を受信させるために搬送波切替えを起動すべきかどうかを判断することと；
を備えた方法。
【請求項４９】
前記判断することは、前記第１の組の信号に関する前記情報にさらに基づく、請求項４８に記載の方法。
【請求項５０】
前記第１の組の信号は、前記第１のアクセスノードに関連する搬送波対干渉波比がしきい値以下であることを示す、請求項４９に記載の方法。
【請求項５１】
前記判断することは、前記第２の組の信号に関する前記情報に基づいて、前記第２のアクセスノードが前記アクセス端末にとって好ましいアクセスノードであることを判断することをさらに備える、請求項４８に記載の方法。
【請求項５２】
前記アクセス端末が前記第１のアクセスノードとアクティブに通信している場合、前記搬送波切替えは、アクティブなハンドオフを備える、請求項４８に記載の方法。
【請求項５３】
前記アクセス端末が前記第１のアクセスノード上でアイドリング状態である場合、前記搬送波切替えは、前記第２の搬送波上で前記信号をスキャンすることを備える、請求項４８に記載の方法。
【請求項５４】
前記第２のアクセスノードは、少なくとも１つのノードにシグナリング、データアクセス、登録、ページング、およびサービスからなる群のうちの少なくとも１つを提供しないように制限される、請求項４８に記載の方法。
【請求項５５】
前記第２のアクセスノードは、フェムトノードまたはピコノードを備える、請求項４８に記載の方法。
【請求項５６】
ワイヤレス通信のための装置であって、
アクセス端末が第１の搬送波上で第１のアクセスノードから受信した第１の組の信号に関する情報を受信するように構成され、前記アクセス端末が前記第１の搬送波上で第２のアクセスノードから受信した第２の組の信号に関する情報を受信するようにさらに構成された受信機と；
前記第２の組の信号に関する前記情報に基づいて、前記アクセス端末に第２の搬送波上で前記第１のアクセスノードから信号を受信させるために搬送波切替えを起動すべきかどうかを判断するように構成された搬送波選択器と；
を備えた装置。
【請求項５７】
前記判断することは、前記第１の組の信号に関する前記情報にさらに基づく、請求項５６に記載の装置。
【請求項５８】
前記第１の組の信号は、前記第１のアクセスノードに関連する搬送波対干渉波比がしきい値以下であることを示す、請求項５７に記載の装置。
【請求項５９】
前記判断することは、前記第２の組の信号に関する前記情報に基づいて、前記第２のアクセスノードが前記アクセス端末にとって好ましいアクセスノードであることを判断することをさらに備える、請求項５６に記載の装置。
【請求項６０】
前記第２のアクセスノードは、少なくとも１つのノードにシグナリング、データアクセス、登録、ページング、およびサービスからなる群のうちの少なくとも１つを提供しないように制限される、請求項５６に記載の装置。
【請求項６１】
ワイヤレス通信のための装置であって、
アクセス端末が第１の搬送波上で第１のアクセスノードから受信した第１の組の信号に関する情報を受信し、前記アクセス端末が前記第１の搬送波上で第２のアクセスノードから受信した第２の組の信号に関する情報を受信するための手段と；
前記第２の組の信号に関する前記情報に基づいて、前記アクセス端末に第２の搬送波上で前記第１のアクセスノードから信号を受信させるために搬送波切替えを起動すべきかどうかを判断するための手段と；
を備えた装置。
【請求項６２】
前記判断することは、前記第１の組の信号に関する前記情報にさらに基づく、請求項６１に記載の装置。
【請求項６３】
前記第１の組の信号は、前記第１のアクセスノードに関連する搬送波対干渉波比がしきい値以下であることを示す、請求項６２に記載の装置。
【請求項６４】
前記判断することは、前記第２の組の信号に関する前記情報に基づいて、前記第２のアクセスノードが前記アクセス端末にとって好ましいアクセスノードであることを判断することをさらに備える、請求項６１に記載の装置。
【請求項６５】
前記第２のアクセスノードは、少なくとも１つのノードにシグナリング、データアクセス、登録、ページング、およびサービスからなる群のうちの少なくとも１つを提供しないように制限される、請求項６１に記載の装置。
【請求項６６】
コンピュータ可読媒体を備えるコンピュータプログラム製品であって、前記コンピュータ可読媒体は、
アクセス端末が第１の搬送波上で第１のアクセスノードから受信した第１の組の信号に関する情報を受信することと；
前記アクセス端末が前記第１の搬送波上で第２のアクセスノードから受信した第２の組の信号に関する情報を受信することと；
前記第２の組の信号に関する前記情報に基づいて、前記アクセス端末に第２の搬送波上で前記第１のアクセスノードから信号を受信させるために搬送波切替えを起動すべきかどうかを判断することと；
をコンピュータに実行させるためのコードを備えた、コンピュータプログラム製品。
【請求項６７】
前記判断することは、前記第１の組の信号に関する前記情報にさらに基づく、請求項６６に記載のコンピュータプログラム製品。
【請求項６８】
前記第１の組の信号は、前記第１のアクセスノードに関連する搬送波対干渉波比がしきい値以下であることを示す、請求項６７に記載のコンピュータプログラム製品。
【請求項６９】
前記判断することは、前記第２の組の信号に関する前記情報に基づいて、前記第２のアクセスノードが前記アクセス端末にとって好ましいアクセスノードであることを判断することをさらに備える、請求項６６に記載のコンピュータプログラム製品。
【請求項７０】
前記第２のアクセスノードは、少なくとも１つのノードにシグナリング、データアクセス、登録、ページング、およびサービスからなる群のうちの少なくとも１つを提供しないように制限される、請求項６６に記載のコンピュータプログラム製品。
【請求項７１】
ワイヤレス通信の方法であって、
第１の搬送波上で少なくとも１つの第１のアクセスノードから第１の組の信号を受信することと；
位置情報を決定することと；
前記決定された位置情報に基づいて、第２の搬送波上で第２のアクセスノードからの第２の組の信号を探索すべきかどうかを判断することと；
を備えた方法。
【請求項７２】
前記位置情報の前記決定は、前記第１の組の信号を受信するアクセス端末の地理的位置を決定することを備える、請求項７１に記載の方法。
【請求項７３】
前記第２のアクセスノードが前記アクセス端末にとって好ましいアクセスノードである場合、前記第２のアクセスノードへのハンドオフを実行することをさらに備える、請求項７１に記載の方法。
【請求項７４】
前記第２のアクセスノードは、少なくとも１つのノードにシグナリング、データアクセス、登録、ページング、およびサービスからなる群のうちの少なくとも１つを提供しないように制限される、請求項７１に記載の方法。
【請求項７５】
前記第２のアクセスノードは、フェムトノードまたはピコノードを備える、請求項７１に記載の方法。
【請求項７６】
ワイヤレス通信のための装置であって、
第１の搬送波上で第１のアクセスノードから第１の組の信号を受信するように構成された受信機と；
位置情報を決定するように構成された位置決定器と；
前記決定された位置情報に基づいて、第２の搬送波上で第２のアクセスノードからの第２の組の信号を探索すべきかどうかを判断するように構成された探索コントローラと；
を備えた装置。
【請求項７７】
前記位置情報の前記決定は、前記第１の組の信号を受信するアクセス端末の地理的位置を決定することを備える、請求項７６に記載の装置。
【請求項７８】
前記第２のアクセスノードが前記アクセス端末にとって好ましいアクセスノードである場合、前記第２のアクセスノードへのハンドオフを実行するように構成されたハンドオフコントローラをさらに備える、請求項７６に記載の装置。
【請求項７９】
前記第２のアクセスノードは、少なくとも１つのノードにシグナリング、データアクセス、登録、ページング、およびサービスからなる群のうちの少なくとも１つを提供しないように制限される、請求項７６に記載の装置。
【請求項８０】
ワイヤレス通信のための装置であって、
第１の搬送波上で第１のアクセスノードから第１の組の信号を受信するための手段と；
位置情報を決定するための手段と；
前記決定された位置情報に基づいて、第２の搬送波上で第２のアクセスノードからの第２の組の信号を探索すべきかどうかを判断するための手段と；
を備えた装置。
【請求項８１】
前記位置情報の前記決定は、前記第１の組の信号を受信するアクセス端末の地理的位置を決定することを備える、請求項８０に記載の装置。
【請求項８２】
前記第２のアクセスノードが前記アクセス端末にとって好ましいアクセスノードである場合、前記第２のアクセスノードへのハンドオフを実行するための手段をさらに備える、請求項８０に記載の装置。
【請求項８３】
前記第２のアクセスノードは、少なくとも１つのノードにシグナリング、データアクセス、登録、ページング、およびサービスからなる群のうちの少なくとも１つを提供しないように制限される、請求項８０に記載の装置。
【請求項８４】
コンピュータ可読媒体を備えるコンピュータプログラム製品であって、前記コンピュータ可読媒体は、
第１の搬送波上で第１のアクセスノードから第１の組の信号を受信することと；
位置情報を決定することと；
前記決定された位置情報に基づいて、第２の搬送波上で第２のアクセスノードからの第２の組の信号を探索すべきかどうかを判断することと；
をコンピュータに実行させるためのコードを備えた、コンピュータプログラム製品。
【請求項８５】
前記位置情報の前記決定は、前記第１の組の信号を受信するアクセス端末の地理的位置を決定することを備える、請求項８４に記載のコンピュータプログラム製品。
【請求項８６】
前記コンピュータ可読媒体は、前記第２のアクセスノードが前記アクセス端末にとって好ましいアクセスノードである場合、前記コンピュータに前記第２のアクセスノードへのハンドオフを実行させるためのコードをさらに備える、請求項８４に記載のコンピュータプログラム製品。
【請求項８７】
前記第２のアクセスノードは、少なくとも１つのノードにシグナリング、データアクセス、登録、ページング、およびサービスからなる群のうちの少なくとも１つを提供しないように制限される、請求項８４に記載のコンピュータプログラム製品。
【発明の詳細な説明】
【米国特許法第１１９条に基づく優先権の主張】
【０００１】
本出願は、その開示が参照により本明細書に組み込まれる、２００７年８月１７日に出願され、弁理士整理番号０７１９９５Ｐ１を割り当てられた、同一出願人が所有する米国特許仮出願第６０／９６５，１６４号の利益および優先権を主張するものである。
【関連出願の相互参照】
【０００２】
本出願は、その開示が参照により本明細書に組み込まれる、「ＭＥＴＨＯＤ  ＡＮＤ  ＡＰＰＡＲＡＴＵＳ  ＦＯＲ  ＷＩＲＥＬＥＳＳ  ＡＣＣＥＳＳ  ＣＯＮＴＲＯＬ」と題し、弁理士整理番号０７１９９５Ｕ２を割り当てられた、同時に出願され、同一出願人が所有する米国特許出願第１２／１９１，２５６号に関係する。
【技術分野】
【０００３】
本出願は、一般にワイヤレス通信に関し、限定されないが、より詳細には通信パフォーマンスを改善することに関する。
【背景技術】
【０００４】
序論
ワイヤレス通信システムは、様々なタイプの通信（たとえば、ボイス、データ、マルチメディアサービスなど）を複数のユーザに提供するために広く展開されている。高速データサービスおよびマルチメディアデータサービスに対する要求が急速に増大するにつれて、向上したパフォーマンスをもつ効率的で頑強な通信システムを実装するという課題がある。
【０００５】
従来のモバイル電話ネットワーク（たとえば、マクロセルラーネットワーク）の基地局を補うために、小カバレージ基地局を、たとえば、ユーザの自宅に配備することができる。そのような小カバレージ基地局は、一般にアクセスポイント基地局、ホームノードＢ、またはフェムトセルとして知られており、より頑強な屋内ワイヤレスカバレージをモバイルユニットに提供するために使用される。典型的には、そのような小カバレージ基地局は、ＤＳＬルータまたはケーブルモデムを介してインターネットおよびモバイルオペレータのネットワークに接続される。
【０００６】
典型的なマクロセルラー配備では、無線周波数（「ＲＦ」）カバレージが、カバレージを最適化するためにセルラーネットワークオペレータによって計画され、管理される。そのような配備では、アクセス端末は、一般に、アクセス端末がサービスのために聞く最良の基地局に接続することになる。ここで、ＲＦ計画は、所与のアクセス端末がサービング基地局から受信する信号が、そのアクセス端末が任意の干渉側基地局から受信する信号よりも十分に高くなるように採用され、それによりアクセス端末は十分なサービスを受信することが可能になる。
【０００７】
対照的に、小カバレージ基地局の配備はアドホックであり、これらの基地局のＲＦカバレージがモバイルオペレータによって最適化されないことがある。その結果、これらの基地局とマクロセル上で動作している近くのアクセス端末との間にＲＦ干渉、ジャミング、および圏外の問題が生じることがある。たとえば、近くの基地局（たとえば、フェムトセル）へのアクセスを許可されないアクセス端末が、その基地局からの干渉を受けることがある。したがって、ワイヤレスネットワークのネットワーク干渉管理の改善が必要である。
【発明の概要】
【０００８】
本開示の例示的な態様の概要を以下で示す。本明細書における態様という用語への言及は、本開示の１つまたは複数の態様を指すことがあることを理解されたい。
【０００９】
本開示は、一部の態様では、制限されたアクセスノード（たとえば、フェムトノード）を指定されたチャネル（たとえば、搬送波）に割り当てることに関する。さらに、マクロアクセスノードとアクティブに通信しているアクセス端末を指定されたチャネルに割り当て、マクロアクセスノード上でアイドリング状態であるアクセス端末を指定されたチャネルに割り当てない。場合によっては、低モビリティをもつアクティブなアクセス端末を指定されたチャネルに割り当て、高モビリティをもつアクティブなアクセス端末を割り当てない。一部の態様では、そのような方式は、システムリソースの有効利用をもたらすと同時に、制限されたアクセスノードとマクロアクセスノードに関連付けられたアクセス端末との間の干渉を低減する。
【００１０】
本開示は、一部の態様では、アクセス端末が、制限されたアクセスノード（たとえば、フェムトノード）のカバレージエリア中またはその近くにあるときに、マクロアクセスノードに関連付けられたアクセス端末において周波数間ハンドオフを実行することに関する。たとえば、所与の搬送波上でマクロアクセスノードに関連付けられた（たとえば、マクロアクセスノードとアクティブに通信している）アクセス端末が同じ搬送波上のフェムトノードを検出したとき、アクセス端末における搬送波対干渉波比（「Ｃ／Ｉ」）がある程度まで悪化した場合、アクセス端末は、そのマクロ通信のために異なる搬送波に切り替わる。したがって、この方式は、また、制限されたアクセスノードとマクロアクセスノードに関連付けられたアクセス端末との間の干渉を低減する。
【００１１】
本開示は、一部の態様では、アクセス端末の位置に基づいて周波数間ハンドオフを実行することに関する。たとえば、所与の搬送波上でマクロアクセスノードに関連付けられた（たとえば、マクロアクセスノードとアクティブに通信している）アクセス端末は、位置情報に基づいてオフ周波数スキャンを実行する。このようにして、アクセス端末は、アクセス端末が、異なる搬送波上で動作している指定された（たとえば、好ましい）アクセスノードのカバレージエリア内にあるかどうかを判断する。そうであれば、アクセス端末は、指定されたアクセスノードへのハンドオフを実行する。一部の態様ではそのような方式は、アクセスノードが指定されたノードに近い場合、指定されたノードへのハンドオフを可能にすることによって、制限されたアクセスノードとマクロアクセスノードに関連付けられたアクセス端末との間の干渉を低減する。
【００１２】
本開示は、一部の態様では、制限されたアクセスノードへのアクセスを制御することに関する。たとえば、アクセス端末が、制限されたアクセスノードにアクセスしようと試みるとき、制限されたアクセスノードおよび／または制限されたアクセスノードに関連付けられているアクセス端末（たとえば、ホームアクセス端末）は、要求されたアクセスを許すべきかどうかを判断する。一部の態様では、アクセスを許すべきかどうかに関する決定は、１つまたは複数の規定されたポリシーに基づく。一部の態様では、アクセスを許すべきかどうかに関する決定は、制限されたアクセスノードに関連付けられているアクセス端末のユーザによる決定に基づく。
【００１３】
本開示のこれらおよび他の例示的な態様について、以下の詳細な説明および添付の特許請求の範囲、ならびに添付の図面において説明する。
【図面の簡単な説明】
【００１４】
【図１】マクロカバレージとより小規模のカバレージとを含むネットワークのいくつかの例示的な態様の簡略図。
【図２】通信システムのいくつかの例示的な態様の簡略ブロック図。
【図３】ワイヤレスノードの搬送波を割り当てるために実行される動作のいくつかの例示的な態様の流れ図。
【図４】受信信号に基づいて別の搬送波へのハンドオフを実行するために実行される動作のいくつかの例示的な態様の流れ図。
【図５】位置情報に基づいて別の搬送波へのハンドオフを実行するために実行される動作のいくつかの例示的な態様の流れ図。
【図６Ａ】制限されたアクセスノードへのアクセスを制御するために実行される動作のいくつかの例示的な態様の流れ図。
【図６Ｂ】制限されたアクセスノードへのアクセスを制御するために実行される動作のいくつかの例示的な態様の流れ図。
【図７】ワイヤレス通信用のカバレージエリアを示す簡略図。
【図８】フェムトノードを含むワイヤレス通信システムの簡略図。
【図９】通信構成要素のいくつかの例示的な態様の簡略ブロック図。
【図１０】本明細書で教示する、搬送波を割り当てて、アクセスを制御するように構成された装置のいくつかの例示的な態様の簡略ブロック図。
【図１１】本明細書で教示する、搬送波を割り当てて、アクセスを制御するように構成された装置のいくつかの例示的な態様の簡略ブロック図。
【図１２】本明細書で教示する、搬送波を割り当てて、アクセスを制御するように構成された装置のいくつかの例示的な態様の簡略ブロック図。
【図１３】本明細書で教示する、搬送波を割り当てて、アクセスを制御するように構成された装置のいくつかの例示的な態様の簡略ブロック図。
【図１４】本明細書で教示する、搬送波を割り当てて、アクセスを制御するように構成された装置のいくつかの例示的な態様の簡略ブロック図。
【図１５】本明細書で教示する、搬送波を割り当てて、アクセスを制御するように構成された装置のいくつかの例示的な態様の簡略ブロック図。
【図１６】本明細書で教示する、搬送波を割り当てて、アクセスを制御するように構成された装置のいくつかの例示的な態様の簡略ブロック図。
【発明の詳細な説明】
【００１５】
慣例により、図面中に示された様々な特徴は一定の縮尺で描かれていないことがある。
【００１６】
したがって、様々な特徴の寸法は、分かりやすいように任意に拡大または縮小されることがある。さらに、図面のいくつかは、分かりやすいように簡略化されることがある。したがって、図面は、所与の装置（たとえば、デバイス）または方法の構成要素のすべてを示しているわけではない。最後に、明細書および図の全体にわたって、同じ特徴を示すために同じ参照番号が使用されることがある。
【００１７】
本開示の様々な態様について以下で説明する。本明細書の教示は多種多様な形で実施でき、本明細書で開示されている特定の構造、機能、またはその両方は代表的なものにすぎないことは明らかであろう。本明細書の教示に基づいて、本明細書で開示される態様は他の態様とは独立に実現できること、およびこれらの態様のうちの２つ以上を様々な方法で組み合わせることができることを当業者は理解されたい。たとえば、本明細書に記載の態様をいくつ使用しても、装置を実現しまたは方法を実施することができる。さらに、本明細書に記載の態様のうちの１つまたは複数に加えてあるいはそれら以外に、他の構造、機能、または構造および機能を使用して、そのような装置を実現しまたはそのような方法を実施することができる。さらに、態様は、請求項の少なくとも１つの要素を備えることができる。
【００１８】
図１は、マクロアクセスノード１０２がマクロスケールカバレージ１０４（たとえば、３Ｇネットワークなどの広域セルラーネットワーク）を提供し、アクセスノード１０６がより小さいカバレージエリア１０８（たとえば、住宅または建築物）にわたるカバレージを提供する、ネットワークシステム１００の例示的な態様を示す。一部の態様では、アクセスノード１０６などのアクセスノードを使用して、キャパシティの増大、屋内カバレージ、（たとえば、より頑強なユーザ経験のための）種々のサービス、のうちの１つまたは複数を提供する。したがって、ワイヤレス端末１１０などのノードがネットワーク中を移動するにつれて、ワイヤレス端末１１０は、広いエリアにわたってはアクセスノード１０２によって、特定のサブエリアではアクセスノード１０６によってサービスされる。ただし、以下でより詳細に論じるように、アクセスノード１０６は、ノードの規定された組にサービスを提供することしかできないという点で制限される。したがって、マクロノード１０２へのアクセスは許可されるが、アクセスノード１０６へのアクセスは許可されないワイヤレス端末１１２などのノード用に、マクロカバレージエリア１０４中に（たとえば、カバレージエリア１０８に対応する）カバレージホールが生じる。
【００１９】
このようなカバレージホールは、マクロカバレージエリア内で動作しているアクティブなアクセス端末とアイドル状態のアクセス端末の両方に影響を及ぼす。たとえば、アイドル状態のアクセス端末が、制限されたアクセスノードでの登録を拒否された場合、アクセス端末は（たとえば、現在のチャネルおよびおそらく１つまたは複数の隣接チャネル中で）Ｃ／Ｉ劣化を受ける。したがって、アクセス端末は、別のマクロ搬送波へのハンドオフを実行する必要がある。同様に、アクティブなアクセス端末が、制限されたアクセスノードにおける関連付けを拒否された場合、アクセス端末は、ダウンリンク上でＣ／Ｉ劣化を受け、制限されたアクセスノードにおいてアップリンク上で干渉を引き起こす。アクティブなアクセス端末は、より良好なＣ／Ｉをもつ別のマクロチャネルへのハンドオフを試みる。しかしながら、そのようなチャネルが見つからない場合、アクティブな呼が信号の損失により中断される。その上、呼が失われる前に、アクセス端末からの送信が、制限されたアクセスノードにおける一時的な圏外状態を引き起こす。
【００２０】
本開示は、一部の態様では、アクセス端末が、制限されたアクセスノードの近傍にあるときに生じる、アクセス問題および／または干渉問題を管理することに関する。本開示のこれらおよび他の態様について、図２に示す通信システム２００および図３〜図６Ａの流れ図を参照しながら説明する。
【００２１】
システム２００を使用して、以下のシナリオについて説明する。ワイヤレス端末１１０（たとえば、ホームアクセス端末）はアクセスノード１０６（たとえば、制限された基地局）に関連付けられており、それにより、ワイヤレス端末１１０はアクセスノード１０６に十分にアクセスすることができる。さらに、最初に、ワイヤレス端末１１２はアクセスノード１０２（たとえば、マクロ基地局）に関連付けられている。ある時点において、ワイヤレス端末１１２はアクセスノード１０６のカバレージエリアに入り、（たとえば、ゲストアクセス端末として）通信を確立しようと試みる。以下で説明するように、システム２００は（たとえば、バックホール接続を介して）アクセスノード１０２および１０６と通信することができる集中コントローラ２０２をも含む。
【００２２】
図２は、本明細書の教示による、これらのノード中で実装できるいくつかの例示的な構成要素を示す。図２の複雑さを低減するために、数個の構成要素のみを様々なノード中に示してある。図２に示されているかどうかにかかわらず、同様の構成要素がシステム中の他のノード中に組み込まれることがあることを諒解されたい。ノードは、互いと、および他のノードと通信するためのトランシーバを含む。たとえば、ノード１１２のトランシーバ２０４は、信号を送信するための送信機２０８と、信号を受信するための受信機２１０とを含む。ノード１０６のトランシーバ２０６は、信号を送信するための送信機２１２と、信号を受信するための受信機２１４とを含む。ノードは、ノードへのアクセスを制御するため、および本明細書で教示する他の関係する機能を提供するためのアクセスコントローラ（たとえば、アクセスコントローラ２１６、２１８、および２２０）も含む。ノードは、他のノードとの通信を管理するため、および本明細書で教示する他の関係する機能を提供するための通信コントローラ（図示せず）も含むことができる。図２に示す他の構成要素について以下の開示で論じる。
【００２３】
システム２００などのシステムの例示的な動作について、図３〜図６Ｂの流れ図に関連してより詳細に論じる。手短に言うと、図３は、システム中のノードに搬送波を割り当てることに関連して採用されるいくつかの動作について説明している。図４は、検出された信号に基づいて別の搬送波に切り替わることに関連して採用されるいくつかの動作について説明している。図５は、位置情報に基づいて別の搬送波に切り替わることに関連して採用されるいくつかの動作について説明している。図６Ａおよび図６Ｂは、制限されたノードへのアクセスを制御することに関連して採用されるいくつかの動作について説明している。
【００２４】
便宜上、図３〜図６Ｂの動作（または本明細書で論じるまたは教示する他の動作）については、特定の構成要素（たとえば、システム２００の構成要素）によって実行されるものとして説明する。ただし、これらの動作は、他のタイプの構成要素によって実行でき、異なる数の構成要素を使用して実行できることを諒解されたい。また、本明細書で説明する動作の１つまたは複数は、所与の実装形態で採用されないことがあることを諒解されたい。
【００２５】
説明の便宜上、以下の説明は、マクロアクセスノードおよび制限されたアクセスノード（たとえば、それぞれ、ノード１０２および１０６）と通信するアクセス端末（たとえば、ノード１１０および１１２）の文脈で提示される。ただし、本明細書の教示は、他のタイプの装置、または他の用語を使用して参照される装置に適用可能であることを諒解されたい。
【００２６】
最初に図３を参照すると、フェムトノードが配備され、マクロノードに関連付けられたアクセス端末が配備されたチャネル（たとえば、搬送波）は、さもなければマクロノードと同じチャネル上で動作している制限されたアクセスノードによって生じることがある干渉を緩和するように制御できる。その上、これは、チャネルの十分な利用を維持しながら達成できる。
【００２７】
ブロック３０２によって表されるように、システム中の制限されたアクセスノードのすべてが共通のチャネルに割り当てられる。たとえば、所与のオペレータのネットワーク中のフェムトノードのすべてが同じ搬送波（指定されたフェムトチャネル）上に配備される。図２では、そのような構成は、たとえば、集中コントローラ２０２とアクセスノード１０６との協働によって達成できる。
【００２８】
ブロック３０４〜３１６は、マクロセル内で動作しているアクセス端末のチャネルを割り当てるために採用される手順について説明している。そのような手順は、たとえば、それぞれノード１１２および１０２の搬送波選択器構成要素２２２および２２４の協働によって実装できる。たとえば、搬送波選択器２２４は、搬送波選択器２２２を指定された搬送波上で動作するように構成する。
【００２９】
チャネル割当て手順は、ブロック３０４で（たとえば、呼割当てを行うこととともに）開始する。ブロック３０６によって表されるように、このチャネル割当ては、アクセス端末が現在アクティブ（たとえば、呼中）であるかアイドル状態であるかに基づく。いくつかの実装形態では、アクセス端末の現在モードは、図２に示すモード判定器構成要素２２６によって判定される。
【００３０】
ブロック３０８によって表されるように、アクセス端末がマクロノード上でアイドリング状態である場合、代替チャネルが利用可能であれば、アクセス端末はフェムトチャネルとは異なるチャネルに割り当てられる。一部の態様では、アイドル状態のマクロアクセス端末は、ページングおよび他の限定されたサービスしか必要としない。したがって、これらのアクセス端末をすべてのチャネルにわたって負荷分散させる必要はそれほどない。アイドル状態のマクロアクセス端末をフェムトチャネル上に配置しないことによって、アイドル状態のマクロアクセス端末がフェムトノードに遭遇したときに、さもなければ実行されるアイドルハンドオフを回避することができる。アクセス端末がアクティブモードに切り替わる場合（たとえば、アクセス端末が呼を受信するとき）、その時に（たとえば、呼割当てとともに）アクセス端末は異なるチャネルに割り当てられる。
【００３１】
ブロック３１０および３１２によって表されるように、ある状況下では、アクティブなマクロアクセス端末をフェムトチャネルに割り当てることができる。一部の態様では、フェムトチャネルへのマクロアクセス端末の割当ては、そのような割当てが比較的高いオーバーヘッドを生じることがあるかどうかを考慮に入れる。たとえば、高モビリティを有するアクセス端末をフェムトチャネル上に配置することは、アクセス端末がネットワーク中の異なるフェムトノードのそばを通過するとき、比較的多数のハンドオフを生じることがあるので、望ましくない。対照的に、アクセス端末が比較的定常であり、フェムトノードのカバレージ内にない場合、フェムトノードとの干渉および周波数間ハンドオフの可能性ははるかに低くなる。この場合、アクセス端末をフェムトチャネル上に配置すると、フェムトチャネルの利用が改善する。
【００３２】
したがって、一部の態様では、マクロアクセス端末をフェムトチャネルに割り当てるべきかどうかの判断は、アクセス端末のモビリティに基づく。たとえば、アクセス端末に関連付けられたモビリティメトリックを１つまたは複数のしきいモビリティメトリック値と比較することによって、そのような判断を行う。したがって、ブロック３１４によって表されるように、アクセス端末のモビリティがしきいモビリティ値以上である場合、アクセス端末をフェムトチャネルとは異なるチャネルに割り当てる。反対に、ブロック３１６によって表されるように、アクセス端末のモビリティがしきいモビリティ値以下である場合、アクセス端末をフェムトチャネルに割り当てる。
【００３３】
上述のモビリティメトリックは様々な方法で実装できる。たとえば、いくつかの実装形態では、低速／高速分類器を新しいアクセス端末中に実装することができる。一部の実装形態では、アクセス端末のモビリティは、フェムトチャネル上のアクティブなアクセス端末がフェムトノードＣ／Ｉ報告を（たとえば、マクロアクセスノードに）頻繁に提供するかどうかに基づいて判断できる。ここで、アクセス端末は、異なるフェムトノードからの信号に遭遇するたびに、報告を生成する。これらの報告の速度があるしきい値を満たすかまたは超えた場合、アクセス端末をフェムトチャネルから遠ざける。また、フェムトノード配備がネットワーク中で普及した場合、フェムトチャネルをフェムトノード専用にする。
【００３４】
次に図４を参照すると、アクセス端末が（たとえば、制限されたノードによって生じた）その現在の動作している搬送波上のカバレージホールに接近したとき、アクセス端末は（たとえば、サービングアクセスノードと協働して）異なる搬送波に切り替わる。図４の動作はブロック４０２で開始し、そこでアクセス端末１１２は、最初に（たとえば、第１の搬送波として指定された）所与の搬送波上でマクロアクセスノード１０２に関連付けられる。
【００３５】
ブロック４０４によって表されるように、アクセス端末１１２（たとえば、受信機２１０）は、アクセスノード１０２から、および、潜在的に、他の近くのアクセスノードから、第１の搬送波上で信号を受信することになる。そしてアクセス端末１１２は、アクセスノード１０２から受信した信号（たとえば、パイロット信号）に関連付けられたＣ／Ｉを判断する。いくつかの実装形態では、アクセス端末１１２（たとえば、送信機２０８）は、このＣ／Ｉ情報をアクセスノード１０２に送信する。
【００３６】
ブロック４０６によって表されるように、アクセス端末１１２が別のアクセスノードのカバレージエリアに接近するにつれて、アクセス端末１１２は、そのアクセスノードから第１の搬送波上で信号を受信する。ブロック４０８によって表されるように、アクセス端末１１２は、ブロック４０６で検出されたアクセスノードへのアクセスを許されるかどうかを判断する。
【００３７】
ブロック４１０によって表されるように、アクセス端末１１２がアクセスノードへのアクセスを許された場合、アクセス端末１１２は、そのアクセスノードに関連付けることを選択する。たとえば、１つまたは複数のアクセスノードをアクセス端末１１２用の好ましいアクセスノード（たとえば、ホームフェムトノード）として指定する。そのような場合、アクセス端末１１２は、そのようなノードの存在を検出したときはいつでも、好ましいアクセスノードに関連付けるように構成する。このために、一部の実装形態では、アクセス端末１１２は、その好ましいアクセスノードを識別する好ましいローミングリスト（「ＰＲＬ」）を維持する。
【００３８】
ブロック４０８で、アクセス端末１１２がアクセスノードへのアクセスを許されない（たとえば、アクセスノードがある他のアクセス端末にサービスを提供することを制限される）場合、ブロック４１２、４１４、および４１６で、アクセス端末１１２および／またはサービングアクセスノードは、異なる搬送波に切り替わるべきかどうかを判断する。たとえば、場合によっては、アクセス端末１１２（たとえば、搬送波選択器２２２）は、制限されたアクセスノード（たとえば、アクセスノード１０６）からの信号の検出に基づいて、および／または（たとえば、第１の搬送波上で動作しているアクセスノード１０６からの干渉により）第１の搬送波上のＣ／Ｉが劣化したという判断に基づいて、異なる搬送波に切り替わることを選択する。ここで、たとえば、Ｃ／Ｉがしきい値以下である場合、Ｃ／Ｉの劣化が示される。
【００３９】
いくつかの場合、上記の動作の１つまたは複数をアクセス端末１１２とアクセスノード１０２との協働によって実装することができる。たとえば、アクセス端末は、ブロック４０４および４０６で受信した信号に関係する情報をアクセスノード１０２に送信する。次いで、その情報によって示される、アクセス端末１１２における劣化したＣ／Ｉの検出および／または制限されたアクセスノード１０６（および／または好ましいアクセスノード）の存在に基づいて、アクセスノード１０２（たとえば、搬送波選択器２２４）はハンドオフ動作を起動する。したがって、アクセス端末１１２は、第２の搬送波に切り替わり、通信を確立しようと試みる。
【００４０】
上記の手順は、アクセス端末がアイドル状態モードまたはアクティブモードのいずれかであるときに使用される。たとえば、フェムトチャネル上でアイドリング状態のマクロアクセス端末が、近くの制限されたフェムトノードによる劣化したＣ／Ｉを検出した場合、アクセス端末はアイドルハンドオフ動作を開始する。ここで、アクセス端末は、フェムトノードが開いているか、またはアクセス端末へのアクセスを許可すると判断した場合、ブロック４１０で上述のように、単にフェムトノードに関連付ける。一方、アクセス端末は、フェムトノードに関連付けることを許されない場合、別の搬送波上でマクロカバレージ信号を見つけようとしてスキャンを実行する。
【００４１】
フェムトチャネル上でアクティブに通信しているマクロアクセス端末が、近くの制限されたフェムトノードによる劣化したＣ／Ｉを検出した場合、アクセス端末は、上述のように、フェムトノードに関する情報とともにＣ／Ｉ報告をそのマクロノードに送信する。次いで、マクロアクセスノードは、Ｃ／Ｉ劣化がフェムトノードからの干渉によるものであると判断し、アクティブな周波数間ハンドオフを開始する。
【００４２】
アクセスノード１０６に関連付けるアクセス端末１１２による要求が拒否され、代替搬送波がアクセスノード１０６のカバレージエリア内で利用可能でない場合、アクセス端末１１２はその呼を中断する。そのような場合、アクセス端末１１２は（たとえば、アクセスノード１０６のカバレージ内で）アイドル状態で終わる。
【００４３】
いずれの場合も、アクセス端末１１２は、ブロック４０４に戻る動作フローによって表されるように（たとえば、元の搬送波または新しい搬送波上で）受信信号をモニタし続ける。このようにして、アクセス端末１１２は、近くの制限されたアクセスノードによって生じるカバレージホールを繰り返しモニタし、関連する干渉を緩和しようと試みる。
【００４４】
次に図５を参照し、アクセス端末は、異なる搬送波上で動作しているアクセスノードのカバレージエリアに入ったかどうかを判断するためにオフ周波数スキャンを行うことが望ましい。たとえば、好ましいアクセスノードが（たとえば、ＰＲＬ中の）アクセス端末用に指定された場合、アクセス端末は、好ましいアクセスノードからの信号（たとえば、パイロット信号）を検出しようとして、オフ周波数スキャンを繰り返し行う。ブロック５０２で図４の動作が開始し、ここで、アクセス端末１１２は、最初に（たとえば、第１の搬送波として指定された）所与の搬送波上でマクロアクセスノード１０２に関連付けられる。
【００４５】
ブロック５０４によって表されるように、アクセス端末１１２（たとえば、位置決定器２２８）は、アクセス端末１１２が所与のアクセスノードの近傍にあるかどうかを判断するために使用される位置情報を判断する。この位置情報は様々な形式をとることができる。たとえば、いくつかの実装形態では、位置情報はアクセス端末１１２の地理的位置を備える。そのような場合、位置決定器２２８は、この地理的位置を判断するための機能（たとえば、ＧＰＳ機能、セルラー機能など）を含む。
【００４６】
ブロック５０６によって表されるように、いくつかの実装形態では、アクセス端末１１２は、その受信信号に劣化を受けているかどうかを判断する。たとえば、別の搬送波に切り替えるという決定も、マクロアクセスノード１０２からの信号が弱まりつつある（たとえば、Ｃ／Ｉが劣化しつつある）かどうかに基づく。
【００４７】
ブロック５０８および５１０によって表されるように、アクセス端末１１２（たとえば、探索コントローラ２３０）は、１つまたは複数の他のアクセスノードを探索するためにオフ周波数スキャンを行うべきかどうかを判断する。上述のように、そのようなスキャンは、位置情報に基づいて（たとえば、アクセス端末１１２が異なる搬送波上で動作している所与のアクセスノードの近位にあるかどうかを判断することによって）起動する。地理に基づく位置情報の場合、探索コントローラ２３０は、たとえば、ブロック５０４で判断された現在の地理的位置と指定されたアクセスノードの知られている位置との比較に基づいて、探索を行うべきかどうかを判断する。
【００４８】
所与のアクセスノードへの近接の判断は様々な方法で達成できる。たとえば、フェムトノードなどのアクセスノードが（たとえば、設置時に）セットアップされた場合、各アクセスノードは、その座標（たとえば、緯度および経度）を識別情報（たとえば、そのＰＮおよびセクタＩＤ）とともにデータベースにアップロードする。この情報は、たとえば、ＩＰバックホールを介して送信される。
【００４９】
上述のように、アクセス端末は、たとえば、ＧＰＳ構成要素からの座標に基づいて、アクセス端末がどこにあるのかを判断する。次いで、アクセス端末は、データベースにアクセスし（たとえば、アクセス端末は、データベースのＵＲＬを用いてアプリオリに構成でき）、アクセス端末の近傍にあるアクセスノード（たとえば、フェムトノード）についてデータベースに問い合わせる。アクセス端末は、そのようなアクセスノードが近傍にあると判断した場合、アクセスノードを発見しようとしてオフ周波数探索を行う。
【００５０】
そのような集中データベースの使用は有利にはネットワーク管理を単純化することができる。たとえば、新しいアクセスノード（たとえば、フェムトノード）が設置されるとき、集中データベースを更新することができる。次いで、アクセス端末は、必要があるときはいつでも、そのデータベースに問い合わせることができる。一部の態様では、このような実装形態は、たとえば、新しいアクセスノードが設置されるたびにアクセス端末用のＰＲＬが更新される実装形態よりも効率的である。
【００５１】
上述のように、スキャンを行う決定は、第１の搬送波上で受信した信号の劣化に随意に基づく。たとえば、アクセス端末１１２は、信号の劣化が大きいときにスキャンを行う可能性がより高い。
【００５２】
ブロック５１２によって表されるように、アクセス端末１１２は、信号が第２の搬送波上で受信されたかどうかを判断する。そうであれば、アクセス端末１１２は、第２の搬送波上で動作しているアクセスノードに関連付けるためにハンドオフを実行することを選択する（ブロック５１４）。たとえば、アクセス端末１１２（たとえば、ハンドオフコントローラ２３２）が第２の搬送波上でホームフェムトノードを検出した場合、アクセス端末１１２は、そのホームフェムトノードに関連付けることを選択する。アクセス端末１１２がアクティブモード（たとえば、呼中）である場合、適切なコンテキスト転送手続きを使用して、アクティブなハンドオフを実行する。
【００５３】
アクセス端末１１２は、アイドル状態モードである間に、制限されたアクセスノード（たとえば、アクセスノード１０６）へのアクセスを拒否された場合、アクセスノードとの関連付けを要求する。アクセス端末１１２は、アクティブモードである間に、アクセスノードへのアクセスを拒否された場合、第１の搬送波上のカバレージが尽きると、呼が中断する。そのような場合、アクセス端末１１２は、アクセスノードのカバレージ内でアイドル状態モードで終わる。
【００５４】
別の搬送波に切り替わるべきかどうかを判断する手続きの開始は、様々な方法で、様々な基準に基づいて達成できる。たとえば、場合によっては、フェムトアクセスノードが存在する可能性を認識しているマクロアクセスノードは、ネットワークによって周期的に指定される周波数でオフ周波数探索を実行するようにアクセス端末に要求することができる。場合によっては、フェムトノードは、フェムトノードが（たとえば、マクロアクセスノードへの）ハンドアウトに適しているかどうかを判断するために、フェムトノードに接続されたアクセス端末にオフ周波数探索の要求を送信することができる。
【００５５】
上述のように、ゲスト（または外来）アクセス端末が制限されたアクセスノードに接近したとき、干渉、ジャミング、および圏外状態が生じる。そのような状態を緩和するために、アクセスノードは、本明細書の教示に従って、何らかの形式のアクセスをアクセス端末に許可することができる。たとえば、アクセスノードは、一時的アクセス、制限されたアクセス、または何らかの他の形式のアクセスをアクセス端末に許可することができる。
【００５６】
次に、本開示のこれらおよび他の態様について、図６Ａおよび図６Ｂに関連して説明する。便宜のために、以下の説明では、制限されたアクセスノードをアクセスノード１０６と呼ぶ。同様に、（たとえば、ゲストアクセスを許可される）ゲストまたは外来アクセス端末をアクセス端末１１２と呼ぶ。
【００５７】
ブロック６０２によって表されるように、一部の態様では、制限されたアクセスノードへのアクセスは、アクセスノード１０６用に定義されたポリシーに基づく。以下でより詳細に説明するように、そのようなポリシーは、たとえば、どのアクセス端末がアクセスを許可されるか、そのアクセス端末がどのくらい長くアクセスを許可されるか、およびこのアクセスに制限があるかどうか、のうちの１つまたは複数に関係する。
【００５８】
一部の態様では、アクセスノード１０６に位置する（たとえば、ポリシーマネージャを実装する）アクセスコントローラ２１６は、アクセス端末１１２が（たとえば、ゲストアクセス端末として）アクセスノード１０６へのアクセスを許されるかどうかを判断する。
【００５９】
場合によっては、アクセスノード１０６用のポリシーはネットワーク中の別のノードによって定義される。たとえば、集中コントローラ２０２（たとえば、オペレータまたはサービスプロバイダによって管理される中心アクセス管理機能）に実装されるアクセスコントローラ２２０（たとえば、ポリシーマネージャ）、および／または関連するホームアクセス端末に実装されるアクセスコントローラ２１８（たとえば、ポリシーマネージャ）は、アクセスコントローラ２１６によって実装されるポリシーを定義する。次いで、これらのエンティティは、アクセスノード１０６においてポリシーを構成または更新するために適切な通信リンク（たとえば、有線またワイヤレス）を介してポリシーをアクセスノード１０６に送信する。場合によっては、１つのポリシーマネージャ（たとえば、アクセスコントローラ２２０）に関連付けられたポリシーは、別のポリシーマネージャ（たとえば、アクセスコントローラ２１８）に関連付けられたポリシーを無効にする。便宜のために、以下の説明では、ホームアクセス端末を単にアクセス端末１１０と呼ぶ。
【００６０】
ブロック６０４によって表されるように、ある時点で、アクセス端末１１２はアクセスノード１０６のカバレージエリアに入る。さらに、アクセス端末１１２は、何らかの形でアクセスノード１０６へのアクセス（たとえば、カバレージエリアへのアクセス）を要求する。場合によっては、ＳＭＳメッセージなどのメッセージを介して要求を送信する。場合によっては、アクセス端末１１２は、アクセスノードに登録しようと試みることによって要求を開始し、アクセスノードとの呼を開始し、または（たとえば、アクティブ状態のとき）アクセスノードにハンドオフする。そのような要求とともに、アクセス端末１１２は識別パラメータをアクセスノード１０６に送信する。
【００６１】
ブロック６０６によって表されるように、アクセスノード１０６（たとえば、受信機２１４）は、要求を受信したとき、アクセス端末１１２を認証する。たとえば、アクセスノード１０６（たとえば、許可コントローラ２３４）は、アクセス端末１１２に質問を出し、アクセス端末１１２から受信した応答を検証する。いくつかの実装形態では、アクセスノード１０６は、（たとえば、集中コントローラ２０２に関連付けられた）許可、認証、およびアカウンティングサーバと協働して、（たとえば、アクセス端末１１２に関連付けられたユーザ名または他の何らかの識別子を認証することによって）アクセス端末１１２を認証する。
【００６２】
ブロック６０８によって表されるように、次いで、アクセスコントローラ２１６は、アクセス端末１１２にアクセスを許可すべきかどうかの判断を開始する。ブロック６１０によって表されるように、この判断は、アクセスコントローラ２１６によって実装されたポリシーに基づき、随意に、アクセス端末１１０から入力される。後者のシナリオの例として、アクセスノード１０６の所有者は、アクセス端末１１０を使用して、ゲストアクセス端末がアクセスノード１０６を使用することを許可する。
【００６３】
最初に、ポリシーベースの動作について、ブロック６１２およびブロック６１４を参照しながら説明する。ブロック６１２によって表されるように、アクセス端末１１２がアクセスノード１０６にアクセス（たとえば、登録）できるように要求する要求を、アクセスノード１０６のポリシーマネージャに提供する。次いで、ブロック６１４によって表されるように、ポリシーに基づいて、アクセスノード１０６は、要求を拒否するか、または要求を許可する（たとえば、一時的または永続的なアクセスを許す）。アクセスノード１０６によって実装されるポリシーは様々な形式をとることができる。たとえば、ポリシーは、以下に記載する基準の１つまたは複数を含む。
【００６４】
一部の態様では、ポリシーは、許されたアクセス端末および／または許されていないアクセス端末を識別するアクセス制御リストを備える。ここで、アクセスコントローラ２１６は、アクセスを許すべきかどうかを判断するために、アクセス端末１１２の識別子をアクセス制御リストと比較する。
【００６５】
一部の態様では、ポリシーは、すべての要求を指定された持続時間の間一時的に認めることを可能にし、何らかの形式の制限されたアクセスを許容する。たとえば、アクセス端末１１２は、１５分、１時間などの間アクセスを許可され、および／またはアクセス端末１１２は、ある時間にアクセスを許可される。このようにして、潜在的な圏外イベントをアクセスノード１０６において回避することができる。
【００６６】
一部の態様では、ポリシーは、（たとえば、限定ユーザグループに永続的に入れられた）いくつかのアクセス端末に永続的なアクセスを許可する。たとえば、所有者は、近隣アクセス端末に永続的なアクセスを許可する。近隣間のそのような協働は、近隣ごとに改善されたサービス程度を達成することによって両方の当事者のためになる。
【００６７】
一部の態様では、ポリシーは、異なる状況下で許可される様々なタイプのアクセスを規定する。たとえば、ポリシーは、ｅ９１１番にかけようとしているアクセス端末にアクセスを許可する。
【００６８】
一部の態様では、ポリシーはアクセス端末１１２の呼状態に依存する。たとえば、登録要求に対する応答は、アクセス端末１１２がアイドル状態モードであるか、またはアクティブモードであるかに依存する。より詳細な例として、アクセス端末１１２がアクティブモードである場合、ポリシーマネージャは一時的サービスをアクセス端末１１２に自動的に提供するように構成できる。反対に、ポリシーマネージャは、アクセス端末１１２がアイドリング状態であるとき、アクセス端末１１２から要求を受信したときはいつでも、アクセスコントローラ２１８と２２０の一方または両方に通知するように構成され、それにより、これらのエンティティは、アクセス端末１１２にアクセスを許可すべきかどうかを判断することに役立つ。
【００６９】
一部の態様では、ポリシーは、（たとえば、アクセス端末１１２から）アクセスノード１０６において受信した信号の信号強度に依存する。たとえば、アクセス端末１１２からの信号強度がしきい値を超えた場合、ポリシーマネージャは、（たとえば、アクセスノード１０６における干渉を低減するために）アクセス端末１１２に一時的サービスを自動的に提供するように構成される。さらに、測定されたライズオーバサーマルおよびアクセスノード１０６におけるノイズフロアが圏外しきい値に近づいているとき、ポリシーは、アクセスノード１０６における圏外状態を回避するためにアクセス端末１１２に一時的アクセスを許容する。一部の態様では、アクセスノード１０６は、マクロセルラー配備において典型的なものよりも大きいライズオーバサーマルを引き起こす、より大きい電力でアクセス端末１１２が送信できるように、緩和ライズオーバサーマル限界を用いて設計される。このようにして、アクセスノード１０６における圏外イベントの数を低減することができる。
【００７０】
一部の態様では、ポリシーは、異なるタイプのアクセスを（たとえば、一時的アクセスとともに）規定する。たとえば、ポリシーは、アクセスノード１０６が完全な関連付け（たとえば、フルサービス）をアクセス端末１１２に提供することを指定する。
【００７１】
代替的に、ポリシーは、（たとえば、アクセスノード１０６における帯域幅などのリソースの消費を制限するために）フルサービス未満のサービスをアクセス端末１１２に提供することを指定する。たとえば、アクセス端末１１２をシグナリングのみの関連付けに制限する。ここで、アクセス端末１１２は、シグナリング用に与えられた経路を介してアクセスノード１０６に導かれる。そして、アクセス端末１１２は、アクセスノード１０６、または他の何らかのネットワーク要素（たとえば、マクロＲＮＣ）にシグナリングを送信し、それらからシグナリングを受信する。このタイプのシグナリングは、たとえば、ページング、モビリティシグナリング、および登録に関係する。しかしながら、アクセス端末１１２は、アクセスノード１０６を介してユーザトラフィックを送信または受信することを許されない（たとえば、呼セットアップが許されない）。
【００７２】
さらに別の例では、ポリシーは、アクセス端末１１２をローカルシグナリングのみの関連付けに制限することを指定する。このシグナリングは、たとえば、宛て先変更メッセージ、（たとえば、干渉を制御するための）リソース利用メッセージ、および電力制御メッセージなどのローカルで生成されたシグナリングを含む。一部の態様では、このシグナリングは、メディアアクセス制御（「ＭＡＣ」）レベルの動作に関係する。ここで、シグナリング接続はコアネットワークに提供されない。さらに、ページングおよびモビリティ関係のシグナリングはサポートされない。
【００７３】
次にブロック６１６〜ブロック６２２を参照すると、いくつかの実装形態では、アクセスノード１０６は、アクセス端末１１２にアクセスを許可する前にユーザ（たとえば、アクセスノード１０６の所有者）から許可を得る。たとえば、ブロック６１６で、アクセスノード１０６（たとえば、送信機２１２）は、要求（たとえば、ゲストアクセス要求）および／または他の関係する情報をアクセス端末１１０に転送する。上述のように、いくつかの実装形態では、この要求は、アクセス端末１１２に関連付けられた、認証された識別パラメータ（たとえば、ユーザ名）を含む。アクセス端末１１０はアクセスノード１０６のカバレージエリア中に存在する必要はないことを諒解されたい。むしろ、アクセス端末１１０がネットワーク中のどこかで稼働中である限り（たとえば、アクセス端末１１０が関連するワイドエリアネットワーク中のどこかに登録されているとき）、アクセス端末１１０とのこのメッセージ交換を採用することができる。
【００７４】
ブロック６１８によって表されるように、（たとえば、図示しない受信機による）この要求の受信に基づいて、アクセス端末１１０（たとえば、アクセスコントローラ２１８）は、要求されたアクセスを許すべきかどうかを判断する。いくつかの実装形態では、これは、アクセス端末１１０の出力デバイス（図示せず）を介して要求に関係する通知を出力することを含む。たとえば、要求をアクセス端末１１０のディスプレイデバイス上に表示する。次いで、アクセス端末１１０のユーザは、アクセス端末１１０の入力デバイス（図示せず）を使用して、要求が許されるかどうか（および、随意に、アクセスの形式が許されるかどうか）を示す、要求に対する応答を与える。
【００７５】
次いで、ブロック６２０によって表されるように、アクセス端末１１０（たとえば、送信機（図示せず））はアクセスノード１０６に適切な応答を送信する。上述のように、この応答は、（たとえば、ブロック６１６で与えられる認証された識別パラメータに関連付けられた）アクセス端末１１２にアクセスを許可する。その受信機２１４によってこの応答を受信すると、次いで、アクセスノード１０６は、応答に基づいて、要求されたアクセスを許可するまたは許す（ブロック６２２）。
【００７６】
場合によっては、アクセス端末１１０の動作は、（たとえば、アクセスコントローラ２１８によって実装される）上記のポリシーと同様のポリシーを採用する。場合によっては、アクセス端末１１０は、アクセスノード１０６のカバレージエリアに到着する前に、アクセス端末の識別子を用いてアクセスノード１０６のポリシーマネージャを構成する。たとえば、上述のように、ユーザは、近隣がアクセスノード１０６にアクセスすることを許可することを選択する。そのような場合、ユーザは、アクセスノード１０６によって維持されるアクセス制御リストへの適切な登録を行わせる。
【００７７】
アクセスマネージャ機能は、本明細書の教示に従って様々な方法で実装できることを諒解されたい。たとえば、いくつかの実装形態では、フェムトノードマネージャを採用して、一時的にまたは永続的に、アクセス端末が限定ユーザグループに入ることを認め、制限されたフェムトノードへのアクセスを許容する。１つまたは複数のデバイスが住宅所有者に属する一例では、アクセス端末は、アクセス端末機能マネージャステータスを割り当てられた場合、フェムトノードマネージャになるように構成される。別の例では、サービスプロバイダは、サービスプロバイダポリシーを限定ユーザグループ管理に適用するために、フェムトノードマネージャ機能を用いてネットワーク要素を配備する。サービスプロバイダは、ネットワーク中のアクセス端末フェムトノードマネージャまたはフェムトノードマネージャ機能のいずれかを、他方を無効にするように構成される。
【００７８】
上記に鑑みて、ワイヤレス通信システムにおける干渉を緩和するために本明細書の教示が有利に採用されることを諒解されたい。その上、ハンドオフおよび関連付け手続きなどのより高いレベルの手続きを使用して、一部の態様では、たとえば、（たとえば、無線パラメータを適応させるか、または時分割多重を採用することによって）下位レイヤ（たとえば、ＰＨＹおよび／またはＭＡＣ）の修正によって干渉問題に対処する技法と比較して、より効果的な方法でこれらの問題に対処することができる。
【００７９】
上述のように、一部の態様では、本明細書の教示は、マクロスケールのカバレージ（たとえば、マクロセルラーネットワーク環境）、およびより小規模のカバレージ（たとえば、住居または建築物ネットワーク環境）を含むネットワーク中で採用される。そのようなネットワークでは、アクセス端末（「ＡＴ」）がネットワーク中を移動するにつれて、アクセス端末を、ある位置では、マクロカバレージを提供するアクセスノード（「ＡＮ」）がサービスし、他の位置では、より小規模のカバレージを提供するアクセスノードがサービスする。一部の態様では、より小さいカバレージノードを使用して、増分キャパシティの増大と、屋内カバレージと、（たとえば、より頑強なユーザ経験のための）種々のサービスとを提供する。本明細書での説明では、比較的大きいエリアにわたってカバレージを提供するノードを、マクロノードと呼ぶ。比較的小さいエリア（たとえば、住居）にわたってカバレージを提供するノードを、フェムトノードと呼ぶ。マクロエリアよりも小さく、フェムトエリアよりも大きいエリアにわたってカバレージを提供する（たとえば、商業建築物内のカバレージを提供する）ノードを、ピコノードと呼ぶ。
【００８０】
マクロノード、フェムトノード、またはピコノードに関連付けられたセルは、それぞれ、マクロセル、フェムトセル、またはピコセルと呼ぶ。いくつかの実装形態では、所与のセルをさらに１つまたは複数のセクタに関連付ける（たとえば、分割する）ことができる。
【００８１】
様々な適用例では、他の用語を使用して、マクロノード、フェムトノード、またはピコノードを参照する。たとえば、マクロノードを、アクセスノード、基地局、アクセスポイント、ｅノードＢ、マクロセルなどとして構成し、またはそのように呼ぶ。また、フェムトノードを、ホームノードＢ、ホームｅノードＢ、アクセスポイント基地局、フェムトセルなどとして構成し、またはそのように呼ぶ。
【００８２】
図７は、いくつかのトラッキングエリア７０２（またはルーティングエリアまたは位置エリア）が画定されたネットワーク用のカバレージマップ７００の例を示す。特に、図７では、トラッキングエリア７０２Ａ、７０２Ｂ、および７０２Ｃに関連付けられたカバレージのエリアが太線によって示されている。
【００８３】
本システムは、たとえば、マクロセル７０４Ａおよび７０４Ｂなど、（六角形によって表された）複数のセル７０４を介したワイヤレス通信を提供し、各セルは、対応するアクセスノード７０６（たとえば、アクセスノード７０６Ａ〜７０６Ｃ）によってサービスされる。図７に示すように、アクセス端末７０８（たとえば、アクセス端末７０８Ａおよび７０８Ｂ）は、所与の時点でネットワーク全体にわたって様々な位置に分散している。各アクセス端末７０８は、たとえば、アクセス端末７０８がアクティブかどうか、およびアクセス端末７０８がソフトハンドオフ中かどうかに応じて、所与の瞬間に順方向リンク（「ＦＬ」）および／または逆方向リンク（「ＲＬ」）上で１つまたは複数のアクセスノード７０６と通信する。このネットワークは、広い地理的領域にわたってサービスを提供する。たとえば、マクロセル７０４は、近傍にあるいくつかのブロックをカバーする。
【００８４】
トラッキングエリア７０２は、また、フェムトカバレージエリア７１０を含む。この例では、フェムトカバレージエリア７１０（たとえば、フェムトカバレージエリア７１０Ａ）の各々はマクロカバレージエリア７０４（たとえば、マクロカバレージエリア７０４Ｂ）内に示されている。ただし、フェムトカバレージエリア７１０は完全にマクロカバレージエリア７０４内にあるわけではないことを諒解されたい。実際には、多数のフェムトカバレージエリア７１０が所与のトラッキングエリア７０２またはマクロカバレージエリア７０４内に画定される。また、１つまたは複数のピコカバレージエリア（図示せず）が所与のトラッキングエリア７０２またはマクロカバレージエリア７０４内に画定される。図７の複雑さを低減するために、数個のアクセスノード７０６、アクセス端末７０８、およびフェムトノード７１０のみを示す。
【００８５】
フェムトノード環境のための接続性は、様々な方法で確立される。たとえば、図８に、１つまたは複数のフェムトノードがネットワーク環境内に配備された通信システム８００を示す。特に、システム８００は、比較的小規模のネットワーク環境中に（たとえば、１つまたは複数のユーザ住宅８３０中に）設置された複数のフェムトノード８１０（たとえば、フェムトノード８１０Ａおよび８１０Ｂ）を含む。各フェムトノード８１０は、ＤＳＬルータ、ケーブルモデム、ワイヤレスリンクまたは他の接続性手段（図示せず）を介してワイドエリアネットワーク８４０（たとえば、インターネット）およびモバイルオペレータコアネットワーク８５０に結合される。本明細書で論じるように、各フェムトノード８１０は、関連するアクセス端末８２０（たとえば、アクセス端末８２０Ａ）、および、随意に、他のアクセス端末８２０（たとえば、アクセス端末８２０Ｂ）をサービスするように構成される。言い換えれば、フェムトノード８１０へのアクセスは制限され、それによって、所与のアクセス端末８２０は一組の指定された（たとえば、（１つまたは複数の）ホーム）フェムトノード８１０によってサービスされるが、指定されていないフェムトノード８１０（たとえば、近隣のフェムトノード８１０）によってはサービスされない。
【００８６】
フェムトノード８１０の所有者は、たとえば、モバイルオペレータコアネットワーク８５０を介して提供される３Ｇモバイルサービスなど、モバイルサービスに加入することができる。さらに、アクセス端末８２０は、マクロ環境中と、より小規模（たとえば、住宅）のネットワーク環境中の両方で動作することが可能である。言い換えれば、アクセス端末８２０の現在位置に応じて、アクセス端末８２０は、マクロセルモバイルネットワーク８５０のアクセスノード８６０によって、または一組のフェムトノード８１０（たとえば、対応するユーザの住宅８３０内に常駐するフェムトノード８１０Ａおよび８１０Ｂ）のうちのいずれか１つによってサービスされる。たとえば、加入者は、自宅の外にいるときは、標準のマクロアクセスノード（たとえば、ノード８６０）によってサービスされ、自宅にいるときは、フェムトノード（たとえば、ノード８１０Ｂ）によってサービスされる。ここで、フェムトノード８１０は既存のアクセス端末８２０と後方互換性があることを諒解されたい。
【００８７】
フェムトノード８１０は、単一の周波数上に配備でき、または代替として、複数の周波数上に配備できる。特定の構成に応じて、単一の周波数あるいは複数の周波数の１つまたは複数は、マクロノード（たとえば、ノード８６０）によって使用される１つまたは複数の周波数と重なることがある。
【００８８】
一部の態様では、アクセス端末８２０は、マクロネットワーク８５０またはフェムトノード８１０のいずれかと通信するが、同時に両方と通信しないように構成される。さらに、一部の態様では、フェムトノード８１０によってサービスされているアクセス端末８２０は、マクロネットワーク８５０とソフトハンドオーバ状態ではない。
【００８９】
一部の態様では、アクセス端末８２０は、そのような接続性が可能なときはいつでも、好ましいフェムトノード（たとえば、アクセス端末８２０のホームフェムトノード）に接続するように構成される。たとえば、加入者のアクセス端末８２０が加入者の住宅８３０内にあるときはいつでも、アクセス端末８２０がホームフェムトノード８１０のみと通信することが望ましい。
【００９０】
一部の態様では、アクセス端末８２０がマクロセルラーネットワーク８５０内で動作しているが、（たとえば、好ましいローミングリスト中に定義された）その最も好ましいネットワーク上に常駐していない場合、アクセス端末８２０は、ベターシステムリセレクション（「ＢＳＲ」）を使用して、最も好ましいネットワーク（たとえば、好ましいフェムトノード８１０）を探索し続け、ベターシステムリセレクションでは、より良好なシステムが現在利用可能かどうかを判断するために利用可能なシステムの周期的なスキャンを行い、以後、そのような好ましいシステムへの関連付けに努める。取得エントリを用いて、アクセス端末８２０は、特定の帯域およびチャネルの探索を制限する。たとえば、最も好ましいシステムの探索が周期的に繰り返される。好ましいフェムトノード８１０が発見されると、アクセス端末８２０は、そのカバレージエリア内にキャンプするためにフェムトノード８１０を選択する。
【００９１】
上述のように、フェムトノードなどのアクセスノードは、一部の態様では制限される。
【００９２】
たとえば、所与のフェムトノードは、いくつかのサービスをいくつかのアクセス端末にしか提供しない。いわゆる制限（または限定）関連付けを用いた配備では、所与のアクセス端末は、マクロセルモバイルネットワークと、フェムトノードの規定された組（たとえば、対応するユーザの住宅８３０内に常駐するフェムトノード８１０）とによってのみサービスされる。いくつかの実装形態では、ノードは、少なくとも１つのノードにシグナリング、データアクセス、登録、ページング、またはサービスのうちの少なくとも１つを提供しないように制限される。
【００９３】
一部の態様では、（限定加入者グループホームノードＢと呼ばれることもある）制限されたフェムトノードは、サービスを、制限された準備されたアクセス端末の組に提供するノードである。この組は、必要に応じて、一時的にまたは永続的に拡大できる。一部の態様では、限定加入者グループ（「ＣＳＧ」）は、アクセス端末の共通のアクセス制御リストを共有するアクセスノード（たとえば、フェムトノード）の組として規定される。領域中のすべてのフェムトノード（または、すべての制限されたフェムトノード）が動作するチャネルをフェムトチャネルと呼ぶ。
【００９４】
したがって、所与のフェムトノードと所与のアクセス端末との間に様々な関係が存在する。たとえば、アクセス端末の観点から、開いたフェムトノードは、制限された関連付けをもたないフェムトノードを指す。制限されたフェムトノードは、何らかの形で制限された（たとえば、関連付けおよび／または登録のために制限された）フェムトノードを指す。ホームフェムトノードは、アクセス端末がアクセスおよび動作することを許可されるフェムトノードを指す。ゲストフェムトノードは、アクセス端末がアクセスまたは動作することを一時的に許可されるフェムトノードを指す。外来フェムトノードは、おそらく非常事態（たとえば、９１１番）を除いて、アクセス端末がアクセスまたは動作することを許可されないフェムトノードを指す。
【００９５】
制限されたフェムトノードの観点から、ホームアクセス端末は、制限されたフェムトノードへのアクセスを許可されるアクセス端末を指す。ゲストアクセス端末は、制限されたフェムトノードに一時的にアクセスできるアクセス端末を指す。外来アクセス端末は、たとえば、おそらく９１１番などの非常事態を除いて、制限されたフェムトノードにアクセスする許可を有していないアクセス端末（たとえば、制限されたフェムトノードに登録する証明書または許可を有していないアクセス端末）を指す。
【００９６】
便宜のために、本明細書の開示では、フェムトノードの文脈で様々な機能について説明する。ただし、ピコノードは、より大きいカバレージエリアに同じまたは同様の機能を提供することを諒解されたい。たとえば、所与のアクセス端末に対して、ピコノードを制限すること、ホームピコノードを定義することなどが可能である。
【００９７】
ワイヤレス多元接続通信システムは、複数のワイヤレスアクセス端末のための通信を同時にサポートする。上述のように、各端末は、順方向および逆方向リンク上の伝送を介して１つまたは複数の基地局と通信する。順方向リンク（またはダウンリンク）とは、基地局から端末への通信リンクを指し、逆方向リンク（またはアップリンク）とは、端末から基地局への通信リンクを指す。この通信リンクは、１入力１出力システム、多入力多出力（「ＭＩＭＯ」）システム、または他の何らかのタイプのシステムを介して確立される。
【００９８】
ＭＩＭＯシステムは、データ伝送用に複数（ＮＴ）個の送信アンテナおよび複数（ＮＲ）個の受信アンテナを使用する。ＮＴ個の送信アンテナとＮＲ個の受信アンテナとによって形成されるＭＩＭＯチャネルは、空間チャネルとも呼ばれるＮＳ個の独立チャネルに分解できる（ただし、ＮＳ≦ｍｉｎ｛ＮＴ，ＮＲ｝）。ＮＳ個の独立チャネルの各々は１つの次元に対応する。複数の送信アンテナおよび受信アンテナによって生成された追加の次元数が利用された場合、ＭＩＭＯシステムは改善されたパフォーマンス（たとえば、より高いスループットおよび／またはより大きい信頼性）を与える。
【００９９】
ＭＩＭＯシステムは時分割複信（「ＴＤＤ」）および周波数分割複信（「ＦＤＤ」）をサポートする。ＴＤＤシステムでは、順方向および逆方向リンク伝送が同一周波数領域上で行われるので、相反定理による逆方向リンクチャネルからの順方向リンクチャネルの推定が可能である。これにより、複数のアンテナがアクセスポイントで利用可能なとき、アクセスポイントは順方向リンク上で送信ビーム形成利得を抽出することが可能になる。
【０１００】
本明細書の教示は、少なくとも１つの他のノードと通信するために様々な構成要素を採用しているノード（たとえば、デバイス）中に組み込むことができる。図９に、ノード間の通信を可能にするために採用できるいくつかの例示的な構成要素を示す。特に、図９に、ＭＩＭＯシステム９００のワイヤレスデバイス９１０（たとえば、アクセスポイント）およびワイヤレスデバイス９５０（たとえば、アクセス端末）を示す。デバイス９１０では、いくつかのデータストリームのトラフィックデータがデータソース９１２から送信（「ＴＸ」）データプロセッサ９１４に与えられる。
【０１０１】
一部の態様では、各データストリームは、それぞれの送信アンテナを介して送信される。ＴＸデータプロセッサ９１４は、各データデータストリーム用に選択された特定の符号化方式に基づいて、データストリームごとにトラフィックデータをフォーマットし、符号化し、インタリーブして、符号化データを与える。
【０１０２】
各データストリームの符号化データは、ＯＦＤＭ技法を使用してパイロットデータで多重化できる。パイロットデータは、典型的には、知られている方法で処理され、チャネル応答を推定するために受信機システムにおいて使用される既知のデータパターンである。
【０１０３】
次いで、各データストリームの多重化されたパイロットデータおよび符号化データは、変調シンボルを供給するために、そのデータストリーム用に選択された特定の変調方式（たとえば、ＢＰＳＫ、ＱＳＰＫ、Ｍ−ＰＳＫ、またはＭ−ＱＡＭ）に基づいて変調（すなわち、シンボルマッピング）される。各データストリームのデータ転送速度、符号化、および変調は、プロセッサ９３０によって実行される命令によって決定される。データメモリ９３２は、デバイス９１０のプロセッサ９３０または他の構成要素によって使用されるプログラムコード、データおよび他の情報を記憶する。
【０１０４】
次いで、すべてのデータストリームの変調シンボルがＴＸ  ＭＩＭＯプロセッサ９２０に供給され、ＴＸ  ＭＩＭＯプロセッサ９２０はさらに（たとえば、ＯＦＤＭの場合）その変調シンボルを処理する。次いで、ＴＸ  ＭＩＭＯプロセッサ９２０はＮＴ個の変調シンボルストリームをＮＴ個のトランシーバ（「ＸＣＶＲ」）９２２Ａ〜９２２Ｔに供給する。一部の態様では、ＴＸ  ＭＩＭＯプロセッサ９２０は、ビーム形成重みをデータストリームのシンボル、およびそのシンボルが送信されているアンテナに付加する。
【０１０５】
各トランシーバ９２２は、それぞれのシンボルストリームを受信し、処理して、１つまたは複数のアナログ信号を供給し、さらに、それらのアナログ信号を調整（たとえば、増幅、フィルタ処理、およびアップコンバート）して、ＭＩＭＯチャネルを介して送信するのに適した変調信号を供給する。次いで、トランシーバ９２２Ａ〜９２２ＴからのＮＴ個の変調信号はそれぞれ、ＮＴ個のアンテナ９２４Ａ〜９２４Ｔから送信される。
【０１０６】
デバイス９５０では、送信された変調信号はＮＲ個のアンテナ９５２Ａ〜９５２Ｒによって受信され、各アンテナ９５２からの受信信号は、それぞれのトランシーバ（「ＸＣＶＲ」）９５４Ａ〜９５４Ｒに供給される。各トランシーバ９５４は、それぞれの受信信号を調整（たとえば、フィルタ処理、増幅、およびダウンコンバート）し、調整された信号をデジタル化してサンプルを供給し、さらに、それらのサンプルを処理して、対応する「受信」シンボルストリームを供給する。
【０１０７】
次いで、受信（「ＲＸ」）データプロセッサ９６０は、特定の受信機処理技法に基づいてＮＲ個のトランシーバ９５４からＮＲ個の受信シンボルストリームを受信し、処理して、ＮＴ個の「検出」シンボルストリームを供給する。次いで、ＲＸデータプロセッサ９６０は、各検出シンボルストリームを復調し、ディインタリーブし、復号して、データストリームに対するトラフィックデータを復元する。ＲＸデータプロセッサ９６０による処理は、デバイス９１０においてＴＸ  ＭＩＭＯプロセッサ９２０およびＴＸデータプロセッサ９１４によって実行される処理を補足するものである。
【０１０８】
プロセッサ９７０は、どのプリコーディング行列（以下で論じる）を使用すべきかを定期的に判断する。プロセッサ９７０は、行列インデックス部とランク値部とを備える逆方向リンクメッセージを作成する。データメモリ９７２は、デバイス９５０のプロセッサ９７０または他の構成要素によって使用されるプログラムコード、データおよび他の情報を記憶する。
【０１０９】
逆方向リンクメッセージは、通信リンクおよび／または受信データストリームに関する様々なタイプの情報を備える。次いで、逆方向リンクメッセージは、データソース９３６からいくつかのデータストリームのトラフィックデータをも受信するＴＸデータプロセッサ９３８によって処理され、変調器９８０によって変調され、トランシーバ９５４Ａ〜９５４Ｒによって調整され、デバイス９１０に戻される。
【０１１０】
デバイス９１０において、デバイス９５０からの変調信号は、アンテナ９２４によって受信され、トランシーバ９２２によって調整され、復調器（「ＤＥＭＯＤ」）９４０によって復調され、ＲＸデータプロセッサ９４２によって処理されて、デバイス９５０によって送信された逆方向リンクメッセージが抽出される。次いで、プロセッサ９３０は、ビーム形成重みを決定するためにどのプリコーディング行列を使用すべきかを判断し、次いで、抽出されたメッセージを処理する。
【０１１１】
図９は、通信構成要素が、本明細書で教示するアクセス／搬送波制御動作を実行する１つまたは複数の構成要素を含むことを示す。たとえば、アクセス／搬送波制御構成要素９９０は、デバイス９１０のプロセッサ９３０および／または他の構成要素と協働して、本明細書で教示する別のデバイス（たとえば、デバイス９５０）との間で信号を送信／受信する。同様に、アクセス／搬送波制御構成要素９９２は、デバイス９５０のプロセッサ９７０および／または他の構成要素と協働して、別のデバイス（たとえば、デバイス９１０）との間で信号を送信／受信する。各デバイス９１０および９５０について、記載の構成要素の２つ以上の機能が単一の構成要素によって提供できることを諒解されたい。たとえば、単一の処理構成要素が、アクセス／搬送波制御構成要素９９０およびプロセッサ９３０の機能を提供し、また、単一の処理構成要素が、アクセス／搬送波制御構成要素９９２およびプロセッサ９７０の機能を提供する。
【０１１２】
本明細書の教示は様々なタイプの通信システムおよび／またはシステム構成要素中に組み込むことができる。一部の態様では、本明細書の教示は、利用可能なシステムリソースを共有することによって（たとえば、帯域幅、送信電力、コーディング、インターリービングなどの１つまたは複数を指定することによって）、複数のユーザとの通信をサポートすることが可能な多元接続システムにおいて採用できる。たとえば、本明細書の教示は、符号分割多元接続（「ＣＤＭＡ」）システム、多重搬送波ＣＤＭＡ（「ＭＣＣＤＭＡ」）、広帯域ＣＤＭＡ（「Ｗ−ＣＤＭＡ」）、高速パケットアクセス（「ＨＳＰＡ」、「ＨＳＰＡ＋」）システム、時分割多元接続（「ＴＤＭＡ」）システム、周波数分割多元接続（「ＦＤＭＡ」）システム、シングルキャリアＦＤＭＡ（「ＳＣ−ＦＤＭＡ」）システム、直交周波数分割多元接続（「ＯＦＤＭＡ」）システムまたは他の多元接続技法の技術のいずれか１つまたは組合せに適用できる。本明細書の教示を採用するワイヤレス通信システムは、ＩＳ−９５、ｃｄｍａ２０００、ＩＳ−８５６、Ｗ−ＣＤＭＡ、ＴＤＳＣＤＭＡ、および他の標準など、１つまたは複数の標準を実装するように設計される。ＣＤＭＡネットワークは、ユニバーサル地上無線アクセス（「ＵＴＲＡ」）、ｃｄｍａ２０００、または他の何らかの技術などの無線技術を実装する。ＵＴＲＡは、Ｗ−ＣＤＭＡおよび低チップレート（「ＬＣＲ」）を含む。ｃｄｍａ２０００は、ＩＳ−２０００、ＩＳ−９５およびＩＳ−８５６標準をカバーする。ＴＤＭＡネットワークは、広域移動体通信システム（「ＧＳＭ（登録商標）」）などの無線技術を実施する。ＯＦＤＭＡネットワークは、進化型ＵＴＲＡ（Ｅ−ＵＴＲＡ）、ＩＥＥＥ８０２．１１、ＩＥＥＥ８０２．１６、ＩＥＥＥ８０２．２０、Ｆｌａｓｈ−ＯＦＤＭ（登録商標）などの無線技術を実施する。ＵＴＲＡ、Ｅ−ＵＴＲＡ、およびＧＳＭは、ユニバーサル移動体通信システム（「ＵＭＴＳ」）の一部である。本明細書の教示は、３ＧＰＰロングタームエボリューション（「ＬＴＥ」）システム、ウルトラモバイルブロードバンド（「ＵＭＢ」）システム、および他のタイプのシステム中で実装される。ＬＴＥは、Ｅ−ＵＴＲＡを使用するＵＭＴＳのリリースである。本開示のいくつかの態様については３ＧＰＰ用語を使用して説明するが、本明細書の教示は、３ＧＰＰ（Ｒｅ１９９、Ｒｅ１５、Ｒｅ１６、Ｒｅ１７）技術、ならびに３ＧＰＰ２（ＩｘＲＴＴ、１ｘＥＶ−ＤＯ  ＲｅｌＯ、ＲｅｖＡ、ＲｅｖＢ）技術および他の技術に適用できることを理解されたい。
【０１１３】
本明細書の教示は様々な装置（たとえば、ワイヤレスノード）に組み込む（たとえば、装置内に実装する、または装置によって実行する）ことができる。たとえば、本明細書で論じるアクセスノード（たとえば、マクロノード、フェムトノードまたはピコノード）は、アクセスポイント（「ＡＰ」）、基地局（「ＢＳ」）、ノードＢ、無線ネットワークコントローラ（「ＲＮＣ」）、ｅノードＢ、基地局コントローラ（「ＢＳＣ」）、基地トランシーバ局（「ＢＴＳ」）、トランシーバ機能（「ＴＦ」）、無線ルータ、無線トランシーバ、基本サービスセット（「ＢＳＳ」）、拡張サービスセット（「ＥＳＳ」）、無線基地局（「ＲＢＳ」）または他の何らかの用語として構成し、またはそのように呼ぶ。
【０１１４】
さらに、本明細書で論じるアクセス端末を、移動局、ユーザ装置、加入者ユニット、加入者局、相手局、遠隔端末、ユーザ端末、ユーザエージェント、ユーザデバイスまたは他の何らかの用語で呼ぶ。一部の実装形態では、そのようなノードは、セルラー電話、コードレス電話、セッション開始プロトコル（「ＳＩＰ」）電話、ワイヤレスローカルループ（「ＷＬＬ」）局、携帯情報端末（「ＰＤＡ」）、ワイヤレス接続能力を有するハンドヘルドデバイス、またはワイヤレスモデムに接続された何らかの他の好適な処理デバイスから構成され、これらの内に実装され、これらを含むことができる。
【０１１５】
したがって、本明細書で教示する１つまたは複数の態様は、様々なタイプの装置からなり、それらの装置内に実装され、それらの装置を含むことができる。そのような装置は、電話（たとえば、セルラー電話、スマートフォン）、コンピュータ（たとえば、ラップトップ）、携帯型通信デバイス、携帯型コンピューティングデバイス（たとえば、個人情報端末）、娯楽デバイス（たとえば、音楽またはビデオデバイス、あるいは衛星ラジオ）、全地球測位システムデバイス、あるいはワイヤレス媒体を介して通信するように構成された他の好適デバイスを備える。
【０１１６】
上述のように、一部の態様では、ワイヤレスノードは通信システムのためのアクセスノード（たとえば、アクセスポイント）を備える。たとえば、そのようなアクセスノードは、有線またはワイヤレス通信リンクを介した、ネットワーク（たとえば、インターネットまたはセルラーネットワークなど広域ネットワーク）のための、またはネットワークへの接続性を与える。したがって、そのようなアクセスノードは、別のノード（たとえば、アクセス端末）がネットワークまたは何らかの他の機能にアクセスすることができる。さらに、ノードの一方または両方は、携帯型であり、または場合によっては、比較的、非携帯型であることを諒解されたい。また、ワイヤレスノード（たとえば、ワイヤレスデバイス）は、適切な通信インターフェースを介して（たとえば、有線接続を介して）非ワイヤレスの方法で情報を送信および／または受信することが可能であることも諒解されたい。
【０１１７】
ワイヤレスノードは、好適なワイヤレス通信技術に基づく、または他の場合にあるいはその技術をサポートする１つまたは複数のワイヤレス通信リンクを介して通信する。たとえば、一部の態様では、ワイヤレスノードはネットワークに関連付けられる。一部の態様では、ネットワークはローカルエリアネットワークまたは広域ネットワークを備える。ワイヤレスデバイスは、（たとえば、ＣＤＭＡ、ＴＤＭＡ、ＯＦＤＭ、ＯＦＤＭＡ、ＷｉＭＡＸ、Ｗｉ−Ｆｉなど）本明細書で論じるものなどの、１つまたは複数の様々なワイヤレス通信技術、プロトコル、または標準をサポートあるいは使用する。同様に、ワイヤレスノードは、１つまたは複数の様々な対応する変調方式または多重化方式をサポートあるいは使用する。したがって、ワイヤレスノードは、適切な構成要素（たとえば、エアインターフェース）を含んで、上記または他のワイヤレス通信技術を使用して１つまたは複数のワイヤレス通信リンクを確立し、それを介して通信する。たとえば、ワイヤレスノードは、ワイヤレス媒体上の通信を可能にする様々な構成要素（たとえば、信号発生器および信号処理器）を含む、関連する送信機構成要素および受信機構成要素（たとえば、送信機２０８または２１２および受信機２１０または２１４）とともにワイヤレストランシーバを備える。
【０１１８】
本明細書で説明する構成要素は、様々な方法で実装することができる。図１０〜図１６を参照すると、装置１０００、１１００、１２００、１３００、１４００、１５００、および１６００は一連の相互に関連する機能ブロックとして表される。一部の態様では、これらのブロックの機能は、１つまたは複数のプロセッサ構成要素を含む処理システムとして実装できる。一部の態様では、これらのブロックの機能は、たとえば、１つまたは複数の集積回路（たとえば、ＡＳＩＣ）の少なくとも一部を使用して実装される。本明細書で論じるように、集積回路は、プロセッサ、ソフトウェア、他の関連した構成要素、またはその何らかの組合せを含む。これらのブロックの機能は、本明細書で教示する方法とは別の何らかの方法で実装することもできる。一部の態様では、図１０〜図１６の１つまたは複数の破線ブロックは随意の機能に関する。
【０１１９】
装置１０００、１１００、１２００、１３００、１４００、１５００、および１６００は、様々な図に関して上記の１つまたは複数の機能を実行することができる１つまたは複数のモジュールを含む。たとえば、アクティブまたはアイドル状態の判断手段１００２は、たとえば、本明細書で論じるモード判定器２２６に対応する。搬送波割当て手段１００４は、たとえば、本明細書で論じる搬送波選択器２２４に対応する。端末構成手段１００６は、たとえば、本明細書で論じる搬送波選択器２２４に対応する。受信手段１１０２は、たとえば、本明細書で論じる受信機２１０に対応する。搬送波切替え判断手段１１０４は、たとえば、本明細書で論じる搬送波選択器２２２に対応する。受信手段１２０２は、たとえば、本明細書で論じる受信機に対応する。搬送波切替え判断手段１２０４は、たとえば、本明細書で論じる搬送波選択器２２４に対応する。受信手段１３０２は、たとえば、本明細書で論じる受信機２１０に対応する。位置決定手段１３０４は、たとえば、本明細書で論じる位置決定器２２８に対応する。探索判断手段１３０６は、たとえば、本明細書で論じる探索コントローラ２３０に対応する。ハンドオフ実行手段１３０８は、たとえば、本明細書で論じるハンドオフコントローラ２３２に対応する。受信手段１４０２は、たとえば、本明細書で論じる受信機２１４に対応する。アクセス判断手段１４０４は、たとえば、本明細書で論じるアクセスコントローラ２１６に対応する。受信手段１５０２は、たとえば、本明細書で論じる受信機に対応する。アクセス判断手段１５０４は、たとえば、本明細書で論じるアクセスコントローラ２１８に対応する。送信手段１５０６は、たとえば、本明細書で論じる送信機に対応する。端末識別手段１６０２は、たとえば、本明細書で論じる受信機２１４に対応する。認証手段１６０４は、たとえば、本明細書で論じる認証コントローラ２３４に対応する。パラメータ提示手段１６０６は、たとえば、本明細書で論じる送信機２１２に対応する。受信手段１６０８は、たとえば、本明細書で論じる受信機２１４に対応する。
【０１２０】
本明細書における「第１」、「第２」などの名称を使用した要素への言及は、それらの要素の数量または順序を概括的に限定するものでないことを理解されたい。むしろ、これらの名称は、本明細書において２つ以上の要素またはある要素の複数の例を区別する便利な方法として使用される。したがって、第１および第２の要素への言及は、そこで２つの要素のみが使用されること、または第１の要素が何らかの方法で第２の要素に先行しなければならないことを意味するものではない。また、別段の規定がない限り、１組の要素は１つまたは複数の要素を備える。さらに、説明または特許請求の範囲において使用される「Ａ、ＢまたはＣのうちの少なくとも１つ」という形式の用語は、「ＡまたはＢまたはＣ、またはその任意の組合せ」を意味する。
【０１２１】
情報および信号は様々な異なる技術および技法のいずれかを使用して表すことを当業者は理解されよう。たとえば、上記の説明全体にわたって言及されるデータ、命令、コマンド、情報、信号、ビット、シンボル、およびチップは、電圧、電流、電磁波、磁界または磁性粒子、光場または光学粒子、あるいはそれらの任意の組合せによって表すことができる。
【０１２２】
さらに、本明細書で開示された態様に関して説明した様々な例示的な論理ブロック、モジュール、プロセッサ、手段、回路、およびアルゴリズムステップのいずれかは、電子ハードウェア（たとえば、ソース符号化または何らかの他の技法を使用して設計できる、デジタル実装形態、アナログ実装形態、またはそれら２つの組合せ）、命令を組み込んだ様々な形態のプログラムまたは設計コード（便宜上、本明細書では「ソフトウェア」または「ソフトウェアモジュール」と呼ぶことがある）、あるいは両方の組合せとして実装できることを当業者は諒解するであろう。ハードウェアとソフトウェアとのこの互換性を明確に示すために、様々な例示的な構成要素、ブロック、モジュール、回路、およびステップを、上記では概してそれらの機能に関して説明した。そのような機能をハードウェアで実装するかソフトウェアで実装するかは、システム全体に課せられた特定の適用および設計上の制約に依存する。当業者は、説明した機能を特定の適用例ごとに様々な方法で実装することができるが、そのような実装の決定は、本開示の範囲からの逸脱を生じると解釈すべきではない。
【０１２３】
本明細書で開示された態様に関して説明した様々な例示的な論理ブロック、モジュールおよび回路は、集積回路（「ＩＣ」）、アクセス端末、またはアクセスポイント内に実装できるか、またはそれらによって実行できる。ＩＣは、汎用プロセッサ、デジタル信号プロセッサ（ＤＳＰ）、特定用途向け集積回路（ＡＳＩＣ）、フィールドプログラマブルゲートアレイ（ＦＰＧＡ）もしくは他のプログラマブル論理デバイス、個別ゲートもしくはトランジスタロジック、個別ハードウェア構成要素、電子的構成要素、光学的構成要素、機械的構成要素、または本明細書で説明する機能を実行するように設計されたそれらの任意の組合せを備えることができ、ＩＣの内部に、ＩＣの外側に、またはその両方に存在するコードまたは命令を実行することができる。汎用プロセッサはマイクロプロセッサとすることができるが、代替形態では、プロセッサは従来のプロセッサ、コントローラ、マイクロコントローラ、または状態機械とすることができる。プロセッサは、コンピューティングデバイスの組合せ、たとえばＤＳＰとマイクロプロセッサとの組合せ、複数のマイクロプロセッサ、ＤＳＰコアと連携する１つまたは複数のマイクロプロセッサ、あるいは任意の他のそのような構成としても実装できる。
【０１２４】
開示されたプロセス中のステップの特定の順序または階層は例示的な手法の一例であることを理解されたい。設計の選好に基づいて、プロセス中のステップの特定の順序または階層は本開示の範囲内のまま再構成できることを理解されたい。添付の方法クレームは、様々なステップの要素を例示的な順序で提示したものであり、提示された特定の順序または階層に限定されるものではない。
【０１２５】
説明した機能は、ハードウェア、ソフトウェア、ファームウェア、またはそれらの任意の組合せで実装できる。ソフトウェアで実装する場合、機能は、１つまたは複数の命令またはコードとしてコンピュータ可読媒体上に記憶するか、あるいはコンピュータ可読媒体を介して送信することができる。コンピュータ可読媒体は、コンピュータ記憶媒体と、ある場所から別の場所へのコンピュータプログラムの転送を可能にするいかなる媒体をも含む通信媒体との両方を含む。記憶媒体は、コンピュータによってアクセスできる任意の利用可能な媒体とすることができる。限定ではなく例として、そのようなコンピュータ可読媒体は、ＲＡＭ、ＲＯＭ、ＥＥＰＲＯＭ、ＣＤ−ＲＯＭもしくは他の光ディスク記憶装置、磁気ディスク記憶装置もしくは他の磁気記憶装置、または、命令もしくはデータ構造の形態で所望のプログラムコードを搬送または記憶するために使用でき、コンピュータによってアクセスできる他の任意の媒体を備えることができる。また、いかなる接続もコンピュータ可読媒体と適切に呼ばれる。たとえば、ソフトウェアが、同軸ケーブル、光ファイバケーブル、ツイストペア、デジタル加入者回線（ＤＳＬ）、または赤外線、無線およびマイクロ波などのワイヤレス技術を使用してウェブサイト、サーバ、または他のリモートソースから送信される場合、同軸ケーブル、光ファイバケーブル、ツイストペア、ＤＳＬ、または赤外線、無線およびマイクロ波などのワイヤレス技術は、媒体の定義に含まれる。本明細書で使用するディスク（disk）およびディスク（disc）は、コンパクトディスク（disc）（ＣＤ）、レーザディスク（登録商標）（disc）、光ディスク（disc）、デジタル多用途ディスク（disc）（ＤＶＤ）、フロッピー（登録商標）ディスク（disk）およびブルーレイディスク（disc）を含み、この場合、ディスク（disk）は、通常、データを磁気的に再生し、ディスク（disc）はデータをレーザで光学的に再生する。上記の組合せもコンピュータ可読媒体の範囲内に含めるべきである。要約すると、コンピュータ可読媒体は任意の好適なコンピュータプログラム製品に実装できることを諒解されたい。
【０１２６】
開示された態様の前述の説明は、当業者が本開示を実施または使用できるようにするために提供される。これらの態様への様々な変更は当業者にはすぐに明らかになり、本明細書で定義された包括的な原理は本開示の範囲から逸脱することなく他の態様に適用できる。したがって、本開示は、本明細書に示された態様に限定されるものではなく、本明細書に開示された原理および新規の特徴に一致する最も広い範囲を与えられるべきものである。
【図１】
2015165675.tif 000003
【図２】
2015165675.tif 000004
【図３】
2015165675.tif 000005
【図４】
2015165675.tif 000006
【図５】
2015165675.tif 000007
【図６Ａ】
2015165675.tif 000008
【図６Ｂ】
2015165675.tif 000009
【図７】
2015165675.tif 000010
【図８】
2015165675.tif 000011
【図９】
2015165675.tif 000012
【図１０】
2015165675.tif 000013
【図１１】
2015165675.tif 000014
【図１２】
2015165675.tif 000015
【図１３】
2015165675.tif 000016
【図１４】
2015165675.tif 000017
【図１５】
2015165675.tif 000018
【図１６】
2015165675.tif 000019
【手続補正書】
【提出日】平成27年5月1日(2015.5.1)
【手続補正１】
【補正対象書類名】特許請求の範囲
【補正対象項目名】全文
【補正方法】変更
【補正の内容】
【特許請求の範囲】
【請求項１】
ワイヤレス通信の方法であって、
第１の搬送波上で第１のアクセスノードから第１の組の信号をアクセス端末で受信することと；ここで前記アクセス端末は前記第１のアクセスノードに関連し、
前記第１の組の信号に基づいて前記第１のアクセスノードに関連する搬送波対干渉波比を判断することと、
前記第１の搬送波上で第２のアクセスノードから第２の組の信号を前記アクセス端末で受信することと；
前記第２のアクセスノードが、前記第２の組の信号および好ましいローミングリストに基づいて、前記アクセス端末にとって好ましいアクセスノードであるかどうかを判断することと、
前記搬送波対干渉波比がしきい値以下でありおよび前記第２のアクセスノードが前記アクセス端末にとって好ましいアクセスノードでない場合、第２の搬送波上で前記第１のアクセスノードから信号を受信するために搬送波切替えを実行することと；
を備えた方法。
【請求項２】
前記搬送波切替えを実行するアクセス端末が前記第１のアクセスノードとアクティブに通信している場合、前記搬送波切替えは、アクティブなハンドオフを備える、請求項１に記載の方法。
【請求項３】
前記搬送波切替えを実行するアクセス端末が前記第１のアクセスノード上でアイドリング状態である場合、前記搬送波切替えは、前記第２の搬送波上で前記信号をスキャンすることを備える、請求項１に記載の方法。
【請求項４】
前記第２のアクセスノードは、少なくとも１つのノードにシグナリング、データアクセス、登録、ページング、およびサービスからなる群のうちの少なくとも１つを提供しないように制限される、請求項１に記載の方法。
【請求項５】
前記第２のアクセスノードは、フェムトノードまたはピコノードを備える、請求項１に記載の方法。
【請求項６】
ワイヤレス通信のための装置であって、
第１の搬送波上で第１のアクセスノードから第１の組の信号をアクセス端末で受信し；ここで前記アクセス端末は前記第１のアクセスノードに関連し、
前記第１の搬送波上で第２のアクセスノードから第２の組の信号を前記アクセス端末で受信するように構成された受信機と；
前記第１の組の信号に基づいて前記第１のアクセスノードに関連する搬送波対干渉波比を判断し、
前記第２のアクセスノードが、前記第２の組の信号および好ましいローミングリストに基づいて、前記アクセス端末にとって好ましいアクセスノードであるかどうかを判断し、
前記搬送波対干渉波比がしきい値以下でありおよび前記第２のアクセスノードが前記アクセス端末にとって好ましいアクセスノードでない場合、第２の搬送波上で前記第１のアクセスノードから信号を受信するために搬送波切替えを実行するように構成された搬送波選択器と；
を備えた装置。
【請求項７】
前記第２のアクセスノードは、少なくとも１つのノードにシグナリング、データアクセス、登録、ページング、およびサービスからなる群のうちの少なくとも１つを提供しないように制限される、請求項６に記載の装置。
【請求項８】
ワイヤレス通信のための装置であって、
第１の搬送波上で第１のアクセスノードから第１の組の信号をアクセス端末で受信するための手段と；ここで前記アクセス端末は前記第１のアクセスノードに関連する、
前記第１の組の信号に基づいて前記第１のアクセスノードに関連する搬送波対干渉波比を判断するための手段と、
前記第１の搬送波上で第２のアクセスノードから第２の組の信号を前記アクセス端末で受信するための手段と、
前記第２のアクセスノードが、前記第２の組の信号および好ましいローミングリストに基づいて、前記アクセス端末にとって好ましいアクセスノードであるかどうかを判断するための手段と、
前記搬送波対干渉波比がしきい値以下でありおよび前記第２のアクセスノードが前記アクセス端末にとって好ましいアクセスノードでない場合、第２の搬送波上で前記第１のアクセスノードから信号を受信するために搬送波切替えを実行するための手段と；
を備えた装置。
【請求項９】
前記第２のアクセスノードは、少なくとも１つのノードにシグナリング、データアクセス、登録、ページング、およびサービスからなる群のうちの少なくとも１つを提供しないように制限される、請求項８に記載の装置。
【請求項１０】
コンピュータ読み取り可能な記録媒体であって、
第１の搬送波上で第１のアクセスノードから第１の組の信号をアクセス端末で受信することと；ここで前記アクセス端末は前記第１のアクセスノードに関連し、
前記第１の組の信号に基づいて前記第１のアクセスノードに関連する搬送波対干渉波比を判断することと、
前記第１の搬送波上で第２のアクセスノードから第２の組の信号を前記アクセス端末で受信することと；
前記第２のアクセスノードが、前記第２の組の信号および好ましいローミングリストに基づいて、前記アクセス端末にとって好ましいアクセスノードであるかどうかを判断することと、
前記搬送波対干渉波比がしきい値以下でありおよび前記第２のアクセスノードが前記アクセス端末にとって好ましいアクセスノードでない場合、第２の搬送波上で前記第１のアクセスノードから信号を受信するために搬送波切替えを実行することと；
をコンピュータに実行させるためのコードを備えた、コンピュータ読み取り可能な記録媒体。
【請求項１１】
前記第２のアクセスノードは、少なくとも１つのノードにシグナリング、データアクセス、登録、ページング、およびサービスからなる群のうちの少なくとも１つを提供しないように制限される、請求項１０に記載のコンピュータ読み取り可能な記録媒体。
【請求項１２】
ワイヤレス通信の方法であって、
第１のアクセスノードにおいて、アクセス端末が第１の搬送波上で前記第１のアクセスノードから受信した第１の組の信号に関する情報を受信することと；ここで前記情報は前記第１のアクセスノードに関連する搬送波対干渉波比を示し、
前記アクセス端末が前記第１の搬送波上で第２のアクセスノードから受信した第２の組の信号に関する情報を受信することと；ここで前記情報は前記第２のアクセスノードが前記アクセス端末にとって好ましいアクセスノードであるかどうかを示し、
前記搬送波対干渉波比がしきい値以下でありおよび前記第２のアクセスノードが前記アクセス端末にとって好ましいアクセスノードでない場合、前記アクセス端末に第２の搬送波上で前記第１のアクセスノードから信号を受信させるために搬送波切替えを起動することと；
を備えた方法。
【請求項１３】
前記アクセス端末が前記第１のアクセスノードとアクティブに通信している場合、前記搬送波切替えは、アクティブなハンドオフを備える、請求項１２に記載の方法。
【請求項１４】
前記アクセス端末が前記第１のアクセスノード上でアイドリング状態である場合、前記搬送波切替えは、前記第２の搬送波上で前記信号をスキャンすることを備える、請求項１２に記載の方法。
【請求項１５】
前記第２のアクセスノードは、少なくとも１つのノードにシグナリング、データアクセス、登録、ページング、およびサービスからなる群のうちの少なくとも１つを提供しないように制限される、請求項１２に記載の方法。
【請求項１６】
前記第２のアクセスノードは、フェムトノードまたはピコノードを備える、請求項１２に記載の方法。
【請求項１７】
ワイヤレス通信のための装置であって、
アクセス端末が第１の搬送波上で第１のアクセスノードから受信した第１の組の信号に関する情報を受信し；ここで前記情報は前記第１のアクセスノードに関連する搬送波対干渉波比を示し、
前記アクセス端末が前記第１の搬送波上で第２のアクセスノードから受信した第２の組の信号に関する情報を受信し；ここで前記情報は前記第２のアクセスノードが前記アクセス端末にとって好ましいアクセスノードであるかどうかを示し、
ように構成された受信機と；
前記搬送波対干渉波比がしきい値以下でありおよび前記第２のアクセスノードが前記アクセス端末にとって好ましいアクセスノードでない場合、前記アクセス端末に第２の搬送波上で前記第１のアクセスノードから信号を受信させるために搬送波切替えを起動するように構成された搬送波選択器と；
を備えた装置。
【請求項１８】
前記第２のアクセスノードは、少なくとも１つのノードにシグナリング、データアクセス、登録、ページング、およびサービスからなる群のうちの少なくとも１つを提供しないように制限される、請求項１７に記載の装置。
【請求項１９】
ワイヤレス通信のための装置であって、
アクセス端末が第１の搬送波上で第１のアクセスノードから受信した第１の組の信号に関する情報を受信するための手段と；ここで前記情報は前記第１のアクセスノードに関連する搬送波対干渉波比を示し、
前記アクセス端末が前記第１の搬送波上で第２のアクセスノードから受信した第２の組の信号に関する情報を受信するための手段と；ここで前記情報は前記第２のアクセスノードが前記アクセス端末にとって好ましいアクセスノードであるかどうかを示し、
前記搬送波対干渉波比がしきい値以下でありおよび前記第２のアクセスノードが前記アクセス端末にとって好ましいアクセスノードでない場合、前記アクセス端末に第２の搬送波上で前記第１のアクセスノードから信号を受信させるために搬送波切替えを起動するための手段と；
を備えた装置。
【請求項２０】
前記第２のアクセスノードは、少なくとも１つのノードにシグナリング、データアクセス、登録、ページング、およびサービスからなる群のうちの少なくとも１つを提供しないように制限される、請求項１９に記載の装置。
【請求項２１】
コンピュータ読み取り可能な記録媒体であって、
アクセス端末が第１の搬送波上で第１のアクセスノードから受信した第１の組の信号に関する情報を受信することと；ここで前記情報は前記第１のアクセスノードに関連する搬送波対干渉波比を示し、
前記アクセス端末が前記第１の搬送波上で第２のアクセスノードから受信した第２の組の信号に関する情報を受信することと；ここで前記情報は前記第２のアクセスノードが前記アクセス端末にとって好ましいアクセスノードであるかどうかを示し、
前記搬送波対干渉波比がしきい値以下でありおよび前記第２のアクセスノードが前記アクセス端末にとって好ましいアクセスノードでない場合、前記アクセス端末に第２の搬送波上で前記第１のアクセスノードから信号を受信させるために搬送波切替えを起動することと；
をコンピュータに実行させるためのコードを備えた、コンピュータ読み取り可能な記録媒体。
【請求項２２】
前記第２のアクセスノードは、少なくとも１つのノードにシグナリング、データアクセス、登録、ページング、およびサービスからなる群のうちの少なくとも１つを提供しないように制限される、請求項２１に記載のコンピュータ読み取り可能な記録媒体。
【手続補正２】
【補正対象書類名】明細書
【補正対象項目名】０１２６
【補正方法】変更
【補正の内容】
【０１２６】
開示された態様の前述の説明は、当業者が本開示を実施または使用できるようにするために提供される。これらの態様への様々な変更は当業者にはすぐに明らかになり、本明細書で定義された包括的な原理は本開示の範囲から逸脱することなく他の態様に適用できる。したがって、本開示は、本明細書に示された態様に限定されるものではなく、本明細書に開示された原理および新規の特徴に一致する最も広い範囲を与えられるべきものである。
以下に、本願出願の当初の特許請求の範囲に記載された発明を付記する。
〔１〕
ワイヤレス通信の方法であって、
アクセス端末がアクティブであるかアイドル状態であるかを判定することと；
前記判定に基づいて、前記アクセス端末を、制限されたアクセスノード用に指定された第１の搬送波に、または第２の搬送波に割り当てることと；
前記アクセス端末を、前記割り当てられた搬送波を使用するように構成することと；
を備えた方法。
〔２〕
前記アクセス端末がアイドル状態である場合、前記アクセス端末は前記第２の搬送波に割り当てられる、〔１〕に記載の方法。
〔３〕
前記アクセス端末がアクティブである場合、前記アクセス端末は前記第１の搬送波に割り当てられる、〔１〕に記載の方法。
〔４〕
前記搬送波の前記割当ては、前記アクセス端末のモビリティにさらに基づく、〔１〕に記載の方法。
〔５〕
前記アクセス端末が前記制限されたアクセスノードの少なくとも一部から受信した信号に関する前記アクセス端末から受信した情報に基づいて、前記モビリティを決定することをさらに備える、〔４〕に記載の方法。
〔６〕
前記アクセス端末のモビリティがしきいモビリティ以下である場合、前記アクセス端末は前記第１の搬送波に割り当てられる、〔１〕に記載の方法。
〔７〕
前記アクセス端末のモビリティがしきいモビリティ以上である場合、前記アクセス端末は前記第２の搬送波に割り当てられる、〔１〕に記載の方法。
〔８〕
前記制限されたアクセスノードは、少なくとも１つのノードにシグナリング、データアクセス、登録、ページング、およびサービスからなる群のうちの少なくとも１つを提供しないように制限される、〔１〕に記載の方法。
〔９〕
前記制限されたアクセスノードはフェムトノードおよび／またはピコノードを備える、〔１〕に記載の方法。
〔１０〕
ワイヤレス通信のための装置であって、
アクセス端末がアクティブであるかアイドル状態であるかを判定するように構成されたモード判定器と；
前記判定に基づいて、前記アクセス端末を、制限されたアクセスノード用に指定された第１の搬送波に、または第２の搬送波に割り当てるように構成され、さらに、前記アクセス端末を前記割り当てられた搬送波を使用するように構成するように構成された搬送波選択器と；
を備えた装置。
〔１１〕
前記アクセス端末がアイドル状態である場合、前記アクセス端末は前記第２の搬送波に割り当てられる、〔１０〕に記載の装置。
〔１２〕
前記アクセス端末がアクティブである場合、前記アクセス端末は前記第１の搬送波に割り当てられる、〔１０〕に記載の装置。
〔１３〕
前記搬送波の前記割当ては、前記アクセス端末のモビリティにさらに基づく、〔１０〕に記載の装置。
〔１４〕
前記制限されたアクセスノードは、少なくとも１つのノードにシグナリング、データアクセス、登録、ページング、およびサービスからなる群のうちの少なくとも１つを提供しないように制限される、〔１０〕に記載の装置。
〔１５〕
ワイヤレス通信のための装置であって、
アクセス端末がアクティブであるかアイドル状態であるかを判定するための手段と；
前記判定に基づいて、前記アクセス端末を、制限されたアクセスノード用に指定された第１の搬送波に、または第２の搬送波に割り当てるための手段と；
前記アクセス端末を、前記割り当てられた搬送波を使用するように構成するための手段と；
を備えた装置。
〔１６〕
前記アクセス端末がアイドル状態である場合、前記アクセス端末は前記第２の搬送波に割り当てられる、〔１５〕に記載の装置。
〔１７〕
前記アクセス端末がアクティブである場合、前記アクセス端末は前記第１の搬送波に割り当てられる、〔１５〕に記載の装置。
〔１８〕
前記搬送波の前記割当ては、前記アクセス端末のモビリティにさらに基づく、〔１５〕に記載の装置。
〔１９〕
前記制限されたアクセスノードは、少なくとも１つのノードにシグナリング、データアクセス、登録、ページング、およびサービスからなる群のうちの少なくとも１つを提供しないように制限される、〔１５〕に記載の装置。
〔２０〕
コンピュータ可読媒体を備えるコンピュータプログラム製品であって、前記コンピュータ可読媒体は、
アクセス端末がアクティブであるかアイドル状態であるかを判定することと；
前記判定に基づいて、前記アクセス端末を、制限されたアクセスノード用に指定された第１の搬送波に、または第２の搬送波に割り当てることと；
前記アクセス端末を、前記割り当てられた搬送波を使用するように構成することと；
をコンピュータに実行させるためのコードを備える、コンピュータプログラム製品。
〔２１〕
前記アクセス端末がアイドル状態である場合、前記アクセス端末は前記第２の搬送波に割り当てられる、〔２０〕に記載のコンピュータプログラム製品。
〔２２〕
前記アクセス端末がアクティブである場合、前記アクセス端末は前記第１の搬送波に割り当てられる、〔２０〕に記載のコンピュータプログラム製品。
〔２３〕
前記搬送波の前記割当ては、前記アクセス端末のモビリティにさらに基づく、〔２０〕に記載のコンピュータプログラム製品。
〔２４〕
前記制限されたアクセスノードは、少なくとも１つのノードにシグナリング、データアクセス、登録、ページング、およびサービスからなる群のうちの少なくとも１つを提供しないように制限される、〔２０〕に記載のコンピュータプログラム製品。
〔２５〕
ワイヤレス通信の方法であって、
第１の搬送波上で第１のアクセスノードから第１の組の信号を受信することと；
前記第１の搬送波上で第２のアクセスノードから第２の組の信号を受信することと；
前記第２の組の信号に基づいて、第２の搬送波上で前記第１のアクセスノードから信号を受信するために搬送波切替えを実行すべきかどうかを判断することと；
を備えた方法。
〔２６〕
前記判断することは、前記第１の組の信号にさらに基づく、〔２５〕に記載の方法。
〔２７〕
前記第１の組の信号が、前記第１のアクセスノードに関連する搬送波対干渉波比がしきい値以下であることを示す、〔２６〕に記載の方法。
〔２８〕
前記判断することは、前記第２の組の信号に基づいて、前記第２のアクセスノードが前記切替えを実行するアクセス端末にとって好ましいアクセスノードであることを判断することをさらに備える、〔２５〕に記載の方法。
〔２９〕
前記搬送波切替えを実行するアクセス端末が前記第１のアクセスノードとアクティブに通信している場合、前記搬送波切替えは、アクティブなハンドオフを備える、〔２５〕に記載の方法。
〔３０〕
前記搬送波切替えを実行するアクセス端末が前記第１のアクセスノード上でアイドリング状態である場合、前記搬送波切替えは、前記第２の搬送波上で前記信号をスキャンすることを備える、〔２５〕に記載の方法。
〔３１〕
前記第２のアクセスノードは、少なくとも１つのノードにシグナリング、データアクセス、登録、ページング、およびサービスからなる群のうちの少なくとも１つを提供しないように制限される、〔２５〕に記載の方法。
〔３２〕
前記第２のアクセスノードは、フェムトノードまたはピコノードを備える、〔２５〕に記載の方法。
〔３３〕
ワイヤレス通信のための装置であって、
第１の搬送波上で第１のアクセスノードから第１の組の信号を受信するように構成され、前記第１の搬送波上で第２のアクセスノードから第２の組の信号を受信するようにさらに構成された受信機と；
前記第２の組の信号に基づいて、第２の搬送波上で前記第１のアクセスノードから信号を受信するために搬送波切替えを実行すべきかどうかを判断するように構成された搬送波選択器と；
を備えた装置。
〔３４〕
前記判断することは、前記第１の組の信号にさらに基づく、〔３３〕に記載の装置。
〔３５〕
前記第１の組の信号は、前記第１のアクセスノードに関連する搬送波対干渉波比がしきい値以下であることを示す、〔３４〕に記載の装置。
〔３６〕
前記判断することは、前記第２の組の信号に基づいて、前記第２のアクセスノードが前記切替えを実行するアクセス端末にとって好ましいアクセスノードであることを判断することをさらに備える、〔３３〕に記載の装置。
〔３７〕
前記第２のアクセスノードは、少なくとも１つのノードにシグナリング、データアクセス、登録、ページング、およびサービスからなる群のうちの少なくとも１つを提供しないように制限される、〔３３〕に記載の装置。
〔３８〕
ワイヤレス通信のための装置であって、
第１の搬送波上で第１のアクセスノードから第１の組の信号を受信し、前記第１の搬送波上で第２のアクセスノードから第２の組の信号を受信するための手段と；
前記第２の組の信号に基づいて、第２の搬送波上で前記第１のアクセスノードから信号を受信するために搬送波切替えを実行すべきかどうかを判断するための手段と；
を備えた装置。
〔３９〕
前記判断することは、前記第１の組の信号にさらに基づく、〔３８〕に記載の装置。
〔４０〕
前記第１の組の信号は、前記第１のアクセスノードに関連する搬送波対干渉波比がしきい値以下であることを示す、〔３９〕に記載の装置。
〔４１〕
前記判断は、前記第２の組の信号に基づいて、前記第２のアクセスノードが前記切替えを実行するアクセス端末にとって好ましいアクセスノードであることを判断することをさらに備える、〔３８〕に記載の装置。
〔４２〕
前記第２のアクセスノードは、少なくとも１つのノードにシグナリング、データアクセス、登録、ページング、およびサービスからなる群のうちの少なくとも１つを提供しないように制限される、〔３８〕に記載の装置。
〔４３〕
コンピュータ可読媒体を備えるコンピュータプログラム製品であって、前記コンピュータ可読媒体は、
第１の搬送波上で第１のアクセスノードから第１の組の信号を受信することと；
前記第１の搬送波上で第２のアクセスノードから第２の組の信号を受信することと；
前記第２の組の信号に基づいて、第２の搬送波上で前記第１のアクセスノードから信号を受信するために搬送波切替えを実行すべきかどうかを判断することと；
をコンピュータに実行させるためのコードを備えた、コンピュータプログラム製品。
〔４４〕
前記判断することは、前記第１の組の信号にさらに基づく、〔４３〕に記載のコンピュータプログラム製品。
〔４５〕
前記第１の組の信号は、前記第１のアクセスノードに関連する搬送波対干渉波比がしきい値以下であることを示す、〔４４〕に記載のコンピュータプログラム製品。
〔４６〕
前記判断することは、前記第２の組の信号に基づいて、前記第２のアクセスノードが前記切替えを実行するアクセス端末にとって好ましいアクセスノードであることを判断することをさらに備える、〔４３〕に記載のコンピュータプログラム製品。
〔４７〕
前記第２のアクセスノードは、少なくとも１つのノードにシグナリング、データアクセス、登録、ページング、およびサービスからなる群のうちの少なくとも１つを提供しないように制限される、〔４３〕に記載のコンピュータプログラム製品。
〔４８〕
ワイヤレス通信の方法であって、
第１のアクセスノードにおいて、アクセス端末が第１の搬送波上で前記第１のアクセスノードから受信した第１の組の信号に関する情報を受信することと；
前記アクセス端末が前記第１の搬送波上で第２のアクセスノードから受信した第２の組の信号に関する情報を受信することと；
前記第２の組の信号に関する前記情報に基づいて、前記アクセス端末に第２の搬送波上で前記第１のアクセスノードから信号を受信させるために搬送波切替えを起動すべきかどうかを判断することと；
を備えた方法。
〔４９〕
前記判断することは、前記第１の組の信号に関する前記情報にさらに基づく、〔４８〕に記載の方法。
〔５０〕
前記第１の組の信号は、前記第１のアクセスノードに関連する搬送波対干渉波比がしきい値以下であることを示す、〔４９〕に記載の方法。
〔５１〕
前記判断することは、前記第２の組の信号に関する前記情報に基づいて、前記第２のアクセスノードが前記アクセス端末にとって好ましいアクセスノードであることを判断することをさらに備える、〔４８〕に記載の方法。
〔５２〕
前記アクセス端末が前記第１のアクセスノードとアクティブに通信している場合、前記搬送波切替えは、アクティブなハンドオフを備える、〔４８〕に記載の方法。
〔５３〕
前記アクセス端末が前記第１のアクセスノード上でアイドリング状態である場合、前記搬送波切替えは、前記第２の搬送波上で前記信号をスキャンすることを備える、〔４８〕に記載の方法。
〔５４〕
前記第２のアクセスノードは、少なくとも１つのノードにシグナリング、データアクセス、登録、ページング、およびサービスからなる群のうちの少なくとも１つを提供しないように制限される、〔４８〕に記載の方法。
〔５５〕
前記第２のアクセスノードは、フェムトノードまたはピコノードを備える、〔４８〕に記載の方法。
〔５６〕
ワイヤレス通信のための装置であって、
アクセス端末が第１の搬送波上で第１のアクセスノードから受信した第１の組の信号に関する情報を受信するように構成され、前記アクセス端末が前記第１の搬送波上で第２のアクセスノードから受信した第２の組の信号に関する情報を受信するようにさらに構成された受信機と；
前記第２の組の信号に関する前記情報に基づいて、前記アクセス端末に第２の搬送波上で前記第１のアクセスノードから信号を受信させるために搬送波切替えを起動すべきかどうかを判断するように構成された搬送波選択器と；
を備えた装置。
〔５７〕
前記判断することは、前記第１の組の信号に関する前記情報にさらに基づく、〔５６〕に記載の装置。
〔５８〕
前記第１の組の信号は、前記第１のアクセスノードに関連する搬送波対干渉波比がしきい値以下であることを示す、〔５７〕に記載の装置。
〔５９〕
前記判断することは、前記第２の組の信号に関する前記情報に基づいて、前記第２のアクセスノードが前記アクセス端末にとって好ましいアクセスノードであることを判断することをさらに備える、〔５６〕に記載の装置。
〔６０〕
前記第２のアクセスノードは、少なくとも１つのノードにシグナリング、データアクセス、登録、ページング、およびサービスからなる群のうちの少なくとも１つを提供しないように制限される、〔５６〕に記載の装置。
〔６１〕
ワイヤレス通信のための装置であって、
アクセス端末が第１の搬送波上で第１のアクセスノードから受信した第１の組の信号に関する情報を受信し、前記アクセス端末が前記第１の搬送波上で第２のアクセスノードから受信した第２の組の信号に関する情報を受信するための手段と；
前記第２の組の信号に関する前記情報に基づいて、前記アクセス端末に第２の搬送波上で前記第１のアクセスノードから信号を受信させるために搬送波切替えを起動すべきかどうかを判断するための手段と；
を備えた装置。
〔６２〕
前記判断することは、前記第１の組の信号に関する前記情報にさらに基づく、〔６１〕に記載の装置。
〔６３〕
前記第１の組の信号は、前記第１のアクセスノードに関連する搬送波対干渉波比がしきい値以下であることを示す、〔６２〕に記載の装置。
〔６４〕
前記判断することは、前記第２の組の信号に関する前記情報に基づいて、前記第２のアクセスノードが前記アクセス端末にとって好ましいアクセスノードであることを判断することをさらに備える、〔６１〕に記載の装置。
〔６５〕
前記第２のアクセスノードは、少なくとも１つのノードにシグナリング、データアクセス、登録、ページング、およびサービスからなる群のうちの少なくとも１つを提供しないように制限される、〔６１〕に記載の装置。
〔６６〕
コンピュータ可読媒体を備えるコンピュータプログラム製品であって、前記コンピュータ可読媒体は、
アクセス端末が第１の搬送波上で第１のアクセスノードから受信した第１の組の信号に関する情報を受信することと；
前記アクセス端末が前記第１の搬送波上で第２のアクセスノードから受信した第２の組の信号に関する情報を受信することと；
前記第２の組の信号に関する前記情報に基づいて、前記アクセス端末に第２の搬送波上で前記第１のアクセスノードから信号を受信させるために搬送波切替えを起動すべきかどうかを判断することと；
をコンピュータに実行させるためのコードを備えた、コンピュータプログラム製品。
〔６７〕
前記判断することは、前記第１の組の信号に関する前記情報にさらに基づく、〔６６〕に記載のコンピュータプログラム製品。
〔６８〕
前記第１の組の信号は、前記第１のアクセスノードに関連する搬送波対干渉波比がしきい値以下であることを示す、〔６７〕に記載のコンピュータプログラム製品。
〔６９〕
前記判断することは、前記第２の組の信号に関する前記情報に基づいて、前記第２のアクセスノードが前記アクセス端末にとって好ましいアクセスノードであることを判断することをさらに備える、〔６６〕に記載のコンピュータプログラム製品。
〔７０〕
前記第２のアクセスノードは、少なくとも１つのノードにシグナリング、データアクセス、登録、ページング、およびサービスからなる群のうちの少なくとも１つを提供しないように制限される、〔６６〕に記載のコンピュータプログラム製品。
〔７１〕
ワイヤレス通信の方法であって、
第１の搬送波上で少なくとも１つの第１のアクセスノードから第１の組の信号を受信することと；
位置情報を決定することと；
前記決定された位置情報に基づいて、第２の搬送波上で第２のアクセスノードからの第２の組の信号を探索すべきかどうかを判断することと；
を備えた方法。
〔７２〕
前記位置情報の前記決定は、前記第１の組の信号を受信するアクセス端末の地理的位置を決定することを備える、〔７１〕に記載の方法。
〔７３〕
前記第２のアクセスノードが前記アクセス端末にとって好ましいアクセスノードである場合、前記第２のアクセスノードへのハンドオフを実行することをさらに備える、〔７１〕に記載の方法。
〔７４〕
前記第２のアクセスノードは、少なくとも１つのノードにシグナリング、データアクセス、登録、ページング、およびサービスからなる群のうちの少なくとも１つを提供しないように制限される、〔７１〕に記載の方法。
〔７５〕
前記第２のアクセスノードは、フェムトノードまたはピコノードを備える、〔７１〕に記載の方法。
〔７６〕
ワイヤレス通信のための装置であって、
第１の搬送波上で第１のアクセスノードから第１の組の信号を受信するように構成された受信機と；
位置情報を決定するように構成された位置決定器と；
前記決定された位置情報に基づいて、第２の搬送波上で第２のアクセスノードからの第２の組の信号を探索すべきかどうかを判断するように構成された探索コントローラと；
を備えた装置。
〔７７〕
前記位置情報の前記決定は、前記第１の組の信号を受信するアクセス端末の地理的位置を決定することを備える、〔７６〕に記載の装置。
〔７８〕
前記第２のアクセスノードが前記アクセス端末にとって好ましいアクセスノードである場合、前記第２のアクセスノードへのハンドオフを実行するように構成されたハンドオフコントローラをさらに備える、〔７６〕に記載の装置。
〔７９〕
前記第２のアクセスノードは、少なくとも１つのノードにシグナリング、データアクセス、登録、ページング、およびサービスからなる群のうちの少なくとも１つを提供しないように制限される、〔７６〕に記載の装置。
〔８０〕
ワイヤレス通信のための装置であって、
第１の搬送波上で第１のアクセスノードから第１の組の信号を受信するための手段と；
位置情報を決定するための手段と；
前記決定された位置情報に基づいて、第２の搬送波上で第２のアクセスノードからの第２の組の信号を探索すべきかどうかを判断するための手段と；
を備えた装置。
〔８１〕
前記位置情報の前記決定は、前記第１の組の信号を受信するアクセス端末の地理的位置を決定することを備える、〔８０〕に記載の装置。
〔８２〕
前記第２のアクセスノードが前記アクセス端末にとって好ましいアクセスノードである場合、前記第２のアクセスノードへのハンドオフを実行するための手段をさらに備える、〔８０〕に記載の装置。
〔８３〕
前記第２のアクセスノードは、少なくとも１つのノードにシグナリング、データアクセス、登録、ページング、およびサービスからなる群のうちの少なくとも１つを提供しないように制限される、〔８０〕に記載の装置。
〔８４〕
コンピュータ可読媒体を備えるコンピュータプログラム製品であって、前記コンピュータ可読媒体は、
第１の搬送波上で第１のアクセスノードから第１の組の信号を受信することと；
位置情報を決定することと；
前記決定された位置情報に基づいて、第２の搬送波上で第２のアクセスノードからの第２の組の信号を探索すべきかどうかを判断することと；
をコンピュータに実行させるためのコードを備えた、コンピュータプログラム製品。
〔８５〕
前記位置情報の前記決定は、前記第１の組の信号を受信するアクセス端末の地理的位置を決定することを備える、〔８４〕に記載のコンピュータプログラム製品。
〔８６〕
前記コンピュータ可読媒体は、前記第２のアクセスノードが前記アクセス端末にとって好ましいアクセスノードである場合、前記コンピュータに前記第２のアクセスノードへのハンドオフを実行させるためのコードをさらに備える、〔８４〕に記載のコンピュータプログラム製品。
〔８７〕
前記第２のアクセスノードは、少なくとも１つのノードにシグナリング、データアクセス、登録、ページング、およびサービスからなる群のうちの少なくとも１つを提供しないように制限される、〔８４〕に記載のコンピュータプログラム製品。
【外国語明細書】
2015165675000001.pdf